(57)【特許請求の範囲】
【請求項１】
１つのトランスポート・ブロック（ＴＢ）が有効にされ、１つのＴＢが無効にされる、多地点協調（ＣｏＭＰ）状態をシグナリングする無線通信方法であって、
前記有効にされたＴＢおよび前記無効にされたＴＢについて、送信ポイント（ＴＰ）からユーザ機器（ＵＥ）にダウンリンク制御情報（ＤＣＩ）を送信し、前記ＤＣＩは、復調用参照信号（ＤＭＲＳ）アンテナポートと、scrambling identityと、レイヤ数と、前記無効にされたＴＢのＮＤＩ（New Data Indicator）に関連した前記有効にされたＴＢについてのＣｏＭＰ状態と、を示す８値インジケータを含み、
前記有効にされたＴＢの前記ＮＤＩがトグルされていない、または、前記有効にされたＴＢに関する前記８値インジケータの値が０、１、２または３と等しい場合、前記ＵＥが、前記無効にされたＴＢの前記ＮＤＩを使用して、第１のＣｏＭＰ状態および第２のＣｏＭＰ状態からＣｏＭＰ状態を選択し、
前記有効にされたＴＢの前記ＮＤＩがトグルされており、前記８値インジケータの値が４、５、６または７である場合、前記ＵＥが、前記有効にされたＴＢについて単一レイヤおよび第３のＣｏＭＰ状態が設定されると解釈し、前記無効にされたＴＢの前記ＮＤＩに基づいて、前記有効にされたＴＢが初回送信であるか再送であるかについて情報を得る、
無線通信方法。
【請求項２】
前記第１のＣｏＭＰ状態、前記第２のＣｏＭＰ状態および前記第３のＣｏＭＰ状態は、上位レイヤを介して設定される、
請求項１に記載の無線通信方法。
【請求項３】
前記無効にされたＴＢの前記ＮＤＩが０または１の形態で表され、または、前記無効にされたＴＢの前記ＮＤＩが前回の送信における前記有効にされたＴＢの前記ＮＤＩに対してトグルされているまたはトグルされていないという形態で表される、
請求項１に記載の無線通信方法。
【請求項４】
前記８値インジケータの値が０と等しい場合、前記ＵＥが、前記有効にされたＴＢについて１レイヤ、ポート７およびｎＳＣＩＤ＝０が設定されると解釈し、
前記８値インジケータの値が１と等しい場合、前記ＵＥが、前記有効にされたＴＢについて１レイヤ、ポート７およびｎＳＣＩＤ＝１が設定されると解釈し、
前記８値インジケータの値が２と等しい場合、前記ＵＥが、前記有効にされたＴＢについて１レイヤ、ポート８およびｎＳＣＩＤ＝０が設定されると解釈し、
前記８値インジケータの値が３と等しい場合、前記ＵＥが、前記有効にされたＴＢについて１レイヤ、ポート８およびｎＳＣＩＤ＝１が設定されると解釈し、
前記有効にされたＴＢの前記ＮＤＩがトグルされていない場合には、
前記８値インジケータの値が４と等しい場合、前記ＵＥが、前記有効にされたＴＢについて２レイヤおよびポート７〜８が設定されると解釈し、
前記８値インジケータの値が５と等しい場合、前記ＵＥが、前記有効にされたＴＢについて３レイヤおよびポート７〜９が設定されると解釈し、
前記８値インジケータの値が６と等しい場合、前記ＵＥが、前記有効にされたＴＢについて４レイヤおよびポート７〜１０が設定されると解釈し、
前記８値インジケータの値が７と等しい場合、前記ＵＥが、７の値が予約されていると解釈し、
前記有効にされたＴＢの前記ＮＤＩがトグルされている場合には、
前記８値インジケータの値が４と等しい場合、前記ＵＥが、前記有効にされたＴＢについて１レイヤ、ポート７およびｎＳＣＩＤ＝０が設定されると解釈し、
前記８値インジケータの値が５と等しい場合、前記ＵＥが、前記有効にされたＴＢについて１レイヤ、ポート７およびｎＳＣＩＤ＝１が設定されると解釈し、
前記８値インジケータの値が６と等しい場合、前記ＵＥが、前記有効にされたＴＢについて１レイヤ、ポート８およびｎＳＣＩＤ＝０が設定されると解釈し、
前記８値インジケータの値が７と等しい場合、前記ＵＥが、前記有効にされたＴＢについて１レイヤ、ポート８およびｎＳＣＩＤ＝１が設定されると解釈する、
ことをさらに含む請求項１に記載の無線通信方法。
【請求項５】
前記有効にされたＴＢが第１のマッピングされたＴＢである場合、および、前記有効にされたＴＢが第２のマッピングされたＴＢである場合の各々に対して、前記第１のＣｏＭＰ状態、前記第２のＣｏＭＰ状態および前記第３のＣｏＭＰ状態の異なるセットが設定される、
請求項１に記載の無線通信方法。
【請求項６】
１つのトランスポート・ブロック（ＴＢ）が有効にされ１つのＴＢが無効にされる、多地点協調（ＣｏＭＰ）状態をシグナリングする無線通信方法であって、
前記有効にされたＴＢおよび前記無効にされたＴＢについて、送信ポイント（ＴＰ）からユーザ機器（ＵＥ）にダウンリンク制御情報（ＤＣＩ）を送信し、前記ＤＣＩは、復調用参照信号（ＤＭＲＳ）アンテナポートと、scrambling identityと、レイヤ数と、前記無効にされたＴＢのＮＤＩに関連した前記有効にされたＴＢについてのＣｏＭＰ状態と、を示すための８値インジケータを含み、
前記有効にされたＴＢに関する前記８値インジケータの値が０、１、２または３と等しい場合、前記ＵＥが、前記無効にされたＴＢの前記ＮＤＩを使用して、第１のＣｏＭＰ状態および第２のＣｏＭＰ状態からＣｏＭＰ状態を選択し、
前記８値インジケータの値が４、５、６または７であり、前記無効にされたＴＢの前記ＮＤＩが所定の状態である場合、前記ＵＥが、前記有効にされたＴＢについて単一レイヤおよび第３のＣｏＭＰ状態が設定されると解釈する、
を含む無線通信方法。
【請求項７】
前記無効にされたＴＢの前記ＮＤＩが前記所定の状態でない場合、４、５、６または７の値に対する前記ＣｏＭＰ状態が上位レイヤを介してシグナリングされる、
請求項６に記載の無線通信方法。
【請求項８】
前記無効にされたＴＢの前記ＮＤＩが前記所定の状態でない場合、４、５、６または７の値に対する前記ＣｏＭＰ状態がサービング・セルの状態に固定される、
請求項６に記載の無線通信方法。
【請求項９】
前記第１のＣｏＭＰ状態または前記第２のＣｏＭＰ状態が、サービング・セルの状態であると定義される、
請求項６に記載の無線通信方法。
【請求項１０】
前記第１のＣｏＭＰ状態、前記第２のＣｏＭＰ状態および前記第３のＣｏＭＰ状態が上位レイヤを介して設定される、
請求項６に記載の無線通信方法。
【請求項１１】
前記所定の状態は、前記無効にされたＴＢの前記ＮＤＩが１と等しいことである、
請求項６に記載の無線通信方法。
【請求項１２】
前記８値インジケータの値が０と等しい場合、前記ＵＥが、前記有効にされたＴＢについて１レイヤ、ポート７およびｎＳＣＩＤ＝０が設定されると解釈し、
前記８値インジケータの値が１と等しい場合、前記ＵＥが、前記有効にされたＴＢについて１レイヤ、ポート７およびｎＳＣＩＤ＝１が設定されると解釈し、
前記８値インジケータの値が２と等しい場合、前記ＵＥが、前記有効にされたＴＢについて１レイヤ、ポート８およびｎＳＣＩＤ＝０が設定されると解釈し、
前記８値インジケータの値が３と等しい場合、前記ＵＥが、前記有効にされたＴＢについて１レイヤ、ポート８およびｎＳＣＩＤ＝１が設定されると解釈し、
前記無効にされたＴＢの前記ＮＤＩが前記所定の状態でない場合には、
前記８値インジケータの値が４と等しい場合、前記ＵＥが、前記有効にされたＴＢについて２レイヤおよびポート７〜８が設定されると解釈し、
前記８値インジケータの値が５と等しい場合、前記ＵＥが、前記有効にされたＴＢについて３レイヤおよびポート７〜９が設定されると解釈し、
前記８値インジケータの値が６と等しい場合、前記ＵＥが、前記有効にされたＴＢについて４レイヤおよびポート７〜１０が設定されると解釈し、
前記８値インジケータの値が７と等しい場合、前記ＵＥが、７の値が予約されていると解釈し、
前記無効にされたＴＢの前記ＮＤＩが無効状態である場合には、
前記８値インジケータの値が４と等しい場合、前記ＵＥが、前記有効にされたＴＢについて１レイヤ、ポート７およびｎＳＣＩＤ＝０が設定されると解釈し、
前記８値インジケータの値が５と等しい場合、前記ＵＥが、前記有効にされたＴＢについて１レイヤ、ポート７およびｎＳＣＩＤ＝１が設定されると解釈し、
前記８値インジケータの値が６と等しい場合、前記ＵＥが、前記有効にされたＴＢについて１レイヤ、ポート８およびｎＳＣＩＤ＝０が設定されると解釈し、
前記８値インジケータの値が７と等しい場合、前記ＵＥが、前記有効にされたＴＢについて１レイヤ、ポート８およびｎＳＣＩＤ＝１が設定されると解釈する、
ことをさらに含む請求項６に記載の無線通信方法。
【請求項１３】
前記有効にされたＴＢが第１のマッピングされたＴＢである場合、および前記有効にされたＴＢが第２のマッピングされたＴＢである場合の各々に対して、前記第１のＣｏＭＰ状態、前記第２のＣｏＭＰ状態および前記第３のＣｏＭＰ状態の異なるセットが設定される、
請求項６に記載の無線通信方法。
【請求項１４】
両方のトランスポート・ブロック（ＴＢ）が有効にされる、多地点協調（ＣｏＭＰ）状態をシグナリングする無線通信方法であって、
送信ポイント（ＴＰ）からユーザ機器（ＵＥ）にダウンリンク制御情報（ＤＣＩ）を送信し、前記ＤＣＩは、復調用参照信号（ＤＭＲＳ）アンテナポートと、レイヤ数と、ＣｏＭＰ状態と、を示すための８値インジケータを含み、
前記８値インジケータの値が０または１と等しい場合、前記ＵＥが、２レイヤおよびポート７〜８が設定されると解釈し、前記８値インジケータの値が０と等しい場合、前記ＵＥが、２つのＣｏＭＰ状態から第１のＣｏＭＰ状態を選択し、前記８値インジケータの値が１と等しい場合、前記ＵＥが、前記２つのＣｏＭＰ状態から第２のＣｏＭＰ状態を選択し、
前記８値インジケータの値が２と等しい場合、前記ＵＥが、３レイヤおよびポート７〜９が設定されると解釈し、
前記８値インジケータの値が３と等しい場合、前記ＵＥが、４レイヤおよびポート７〜１０が設定されると解釈し、
前記８値インジケータの値が４と等しい場合、前記ＵＥが、５レイヤおよびポート７〜１１が設定されると解釈し、
前記８値インジケータの値が５と等しい場合、前記ＵＥが、６レイヤおよびポート７〜１２が設定されると解釈し、
前記８値インジケータの値が６と等しい場合、前記ＵＥが、７レイヤおよびポート７〜１３が設定されると解釈し、
前記８値インジケータの値が７と等しい場合、前記ＵＥが、８レイヤおよびポート７〜１４が設定されると解釈する、
無線通信方法。
【請求項１５】
２、３、４、５、６または７の値に対する前記ＣｏＭＰ状態が上位レイヤを介してシグナリングされる、
請求項１４に記載の無線通信方法。
【請求項１６】
２、３、４、５、６または７の値に対する前記ＣｏＭＰ状態がサービング・セルの状態に固定される、
請求項１４に記載の無線通信方法。
【請求項１７】
両方のトランスポート・ブロック（ＴＢ）が有効にされる、多地点協調（ＣｏＭＰ）状態をシグナリングする無線通信方法であって、
送信ポイント（ＴＰ）からユーザ機器（ＵＥ）にダウンリンク制御情報（ＤＣＩ）を送信し、前記ＤＣＩは、復調用参照信号（ＤＭＲＳ）アンテナポートと、scrambling identityと、レイヤ数と、ＣｏＭＰ状態と、を示すための８値インジケータを含み、
前記８値インジケータの値が０、１、２または３と等しい場合、前記ＵＥが、２つのＣｏＭＰ状態から第１のＣｏＭＰ状態を選択し、
前記８値インジケータの値が４、５、６または７と等しい場合、前記ＵＥが、前記２つのＣｏＭＰ状態から第２のＣｏＭＰ状態を選択し、
前記８値インジケータの値が０または４と等しい場合、前記ＵＥが、２レイヤ、ポート７〜８、およびｎＳＣＩＤ＝０が設定されると解釈し、
前記８値インジケータの値が１または５と等しい場合、前記ＵＥが、２レイヤ、ポート７〜８、およびｎＳＣＩＤ＝１が設定されると解釈し、
前記８値インジケータの値が２または６と等しい場合、前記ＵＥが、３レイヤおよびポート７〜９が設定されると解釈し、
前記８値インジケータの値が３または７と等しい場合、前記ＵＥが、４レイヤおよびポート７〜１０が設定されると解釈する、
無線通信方法。
【請求項１８】
両方のトランスポート・ブロック（ＴＢ）が有効にされる、多地点協調（ＣｏＭＰ）状態をシグナリングする無線通信方法であって、
送信ポイント（ＴＰ）からユーザ機器（ＵＥ）にダウンリンク制御情報（ＤＣＩ）を送信し、前記ＤＣＩは、復調用参照信号（ＤＭＲＳ）アンテナポートと、レイヤ数と、ＣｏＭＰ状態と、を示すための８値インジケータを含み、
前記８値インジケータの値が０、１、４または５と等しい場合、前記ＵＥが、２レイヤおよびポート７〜８が設定されると解釈し、前記８値インジケータの値に基づいて４つのＣｏＭＰ状態からＣｏＭＰ状態を選択し、
前記８値インジケータの値が２または６と等しい場合、前記ＵＥが、３レイヤおよびポート７〜９が設定されると解釈し、前記８値インジケータの値に基づいて２つのＣｏＭＰ状態からＣｏＭＰ状態を選択し、
前記８値インジケータの値が３または７と等しい場合、前記ＵＥが、４レイヤおよびポート７〜１０が設定されると解釈し、前記８値インジケータの値に基づいて前記２つのＣｏＭＰ状態からＣｏＭＰ状態を選択する、
無線通信方法。
【請求項１９】
前記８値インジケータの値が０と等しい場合、前記ＵＥが、４つのＣｏＭＰ状態から第１のＣｏＭＰ状態を選択し、
前記８値インジケータの値が１と等しい場合、前記ＵＥが、前記４つのＣｏＭＰ状態から第２のＣｏＭＰ状態を選択し、
前記８値インジケータの値が４と等しい場合、前記ＵＥが、前記４つのＣｏＭＰ状態から第３のＣｏＭＰ状態を選択し、
前記８値インジケータの値が５と等しい場合、前記ＵＥが、前記４つのＣｏＭＰ状態から第４のＣｏＭＰ状態を選択し、
前記８値インジケータの値が２または６と等しい場合、前記ＵＥが、前記２つのＣｏＭＰ状態から第５のＣｏＭＰ状態を選択し、
前記８値インジケータの値が３または７と等しい場合、前記ＵＥが、前記２つのＣｏＭＰ状態から第６のＣｏＭＰ状態を選択する、
請求項１８に記載の無線通信方法。
【請求項２０】
両方のトランスポート・ブロック（ＴＢ）が有効にされる、多地点協調（ＣｏＭＰ）状態をシグナリングする無線通信方法であって、
送信ポイント（ＴＰ）からユーザ機器（ＵＥ）にダウンリンク制御情報（ＤＣＩ）を送信し、前記ＤＣＩは、復調用参照信号（ＤＭＲＳ）アンテナポートと、scrambling identityと、レイヤ数と、ＣｏＭＰ状態と、を示すための８値インジケータを含み、
前記８値インジケータの値が０、４または６と等しい場合、前記ＵＥが、２レイヤ、ポート７〜８およびｎＳＣＩＤ＝０が設定されると解釈し、前記８値インジケータの値に基づいて３つのＣｏＭＰ状態からＣｏＭＰ状態を選択し、
前記８値インジケータの値が１、５、または７と等しい場合、前記ＵＥが、２レイヤ、ポート７〜８およびｎＳＣＩＤ＝１が設定されると解釈し、前記８値インジケータの値に基づいて前記３つのＣｏＭＰ状態からＣｏＭＰ状態を選択し、
前記８値インジケータの値が２と等しい場合、前記ＵＥが、３レイヤおよびポート７〜９が設定されると解釈し、
前記８値インジケータの値が３と等しい場合、前記ＵＥが、４レイヤおよびポート７〜１０が設定されると解釈する、
無線通信方法。
【請求項２１】
２または３の値に対する前記ＣｏＭＰ状態は、上位レイヤを介してシグナリングされる、またはサービング・セルの状態に固定される、
請求項２０に記載の無線通信方法。
【請求項２２】
１つのトランスポート・ブロック（ＴＢ）が有効にされ１つのＴＢが無効にされる、多地点協調（ＣｏＭＰ）状態をシグナリングする無線通信方法であって、
前記有効にされたＴＢおよび前記無効にされたＴＢについて、送信ポイント（ＴＰ）からユーザ機器（ＵＥ）にダウンリンク制御情報（ＤＣＩ）を送信し、前記ＤＣＩが、復調用参照信号（ＤＭＲＳ）アンテナポートと、scrambling identityと、レイヤ数と、前記無効にされたＴＢのＮＤＩに関連した前記有効にされたＴＢについてのＣｏＭＰ状態と、を示すための８値インジケータを含み、
前記８値インジケータの値が０または４と等しい場合、前記ＵＥが、前記有効にされたＴＢについて１レイヤ、ポート７およびｎＳＣＩＤ＝０が設定されると解釈し、
前記８値インジケータの値が１または５と等しい場合、前記ＵＥが、前記有効にされたＴＢについて１レイヤ、ポート７およびｎＳＣＩＤ＝１が設定されると解釈し、
前記８値インジケータの値が２または６と等しい場合、前記ＵＥが、前記有効にされたＴＢについて１レイヤ、ポート８およびｎＳＣＩＤ＝０が設定されると解釈し、
前記８値インジケータの値が３と等しい場合、前記ＵＥが、前記有効にされたＴＢについて１レイヤ、ポート８およびｎＳＣＩＤ＝１が設定されると解釈し、
前記無効にされたＴＢの前記ＮＤＩが所定の状態である場合には、
前記８値インジケータの値が０、１、２または３と等しい場合、前記ＵＥが、４つのＣｏＭＰ状態から第１のＣｏＭＰ状態を選択し、
前記８値インジケータの値が４、５、６または７と等しい場合、前記ＵＥが、前記４つのＣｏＭＰ状態から第２のＣｏＭＰ状態を選択し、
前記８値インジケータの値が７と等しい場合、前記ＵＥが、前記有効にされたＴＢについて１レイヤ、ポート８およびｎＳＣＩＤ＝１が設定されると解釈し、
前記無効にされたＴＢの前記ＮＤＩが前記所定の状態でない場合には、
前記８値インジケータの値が０、１、２または３と等しい場合、前記ＵＥが、４つのＣｏＭＰ状態から第３のＣｏＭＰ状態を選択し、
前記８値インジケータの値が４、５または６と等しい場合、前記ＵＥが、前記４つのＣｏＭＰ状態から第４のＣｏＭＰ状態を選択する、
無線通信方法。
【請求項２３】
前記無効にされたＴＢの前記ＮＤＩが前記所定の状態ではなく、前記８値インジケータの値が７と等しい場合、前記ＵＥが、前記有効にされたＴＢについて１レイヤ、ポート８およびｎＳＣＩＤ＝１が設定されると解釈し、前記４つのＣｏＭＰ状態から前記第４のＣｏＭＰ状態を選択することをさらに含む、
請求項２２に記載の無線通信方法。
【請求項２４】
前記無効にされたＴＢの前記ＮＤＩが前記所定の状態ではなく、前記８値インジケータの値が７と等しい場合、前記ＵＥが、前記有効にされたＴＢについて２レイヤおよびポート７〜８が設定されると解釈し、対応するＣｏＭＰ状態がサービング・セルの状態である、ことをさらに含む、
請求項２２に記載の無線通信方法。
【請求項２５】
前記有効にされたＴＢが第１のマッピングされたＴＢである場合、および前記有効にされたＴＢが第２のマッピングされたＴＢである場合の各々に対して、前記第１のＣｏＭＰ状態、前記第２のＣｏＭＰ状態、前記第３のＣｏＭＰ状態および前記第４のＣｏＭＰ状態の異なるセットが設定される、
請求項２２〜２４のいずれか一項に記載の無線通信方法。
【請求項２６】
両方のトランスポート・ブロック（ＴＢ）が有効にされる、多地点協調（ＣｏＭＰ）状態をシグナリングする無線通信方法であって、
送信ポイント（ＴＰ）からユーザ機器（ＵＥ）にダウンリンク制御情報（ＤＣＩ）を送信し、前記ＤＣＩは、復調用参照信号（ＤＭＲＳ）アンテナポートと、scrambling identityと、レイヤ数と、ＣｏＭＰ状態と、を示すための８値インジケータを含み、
前記８値インジケータの値が０、２、４または６と等しい場合、前記ＵＥが、２レイヤ、ポート７〜８、およびｎＳＣＩＤ＝０が設定されると解釈し、
前記８値インジケータの値が１、３、５または７と等しい場合、前記ＵＥが、２レイヤ、ポート７〜８、およびｎＳＣＩＤ＝１が設定されると解釈し、
前記８値インジケータの値が０または１と等しい場合、前記ＵＥが、４つのＣｏＭＰ状態から第１のＣｏＭＰ状態を選択し、
前記８値インジケータの値が２または３と等しい場合、前記ＵＥが、前記４つのＣｏＭＰ状態から第２のＣｏＭＰ状態を選択し、
前記８値インジケータの値が４または５と等しい場合、前記ＵＥが、前記４つのＣｏＭＰ状態から第３のＣｏＭＰ状態を選択し、
前記８値インジケータの値が６または７と等しい場合、前記ＵＥが、前記４つのＣｏＭＰ状態から第４のＣｏＭＰ状態を選択する、
無線通信方法。
【請求項２７】
１つのトランスポート・ブロック（ＴＢ）が有効にされ１つのＴＢが無効にされる、多地点協調（ＣｏＭＰ）状態をシグナリングする無線通信方法であって、
送信ポイント（ＴＰ）からユーザ機器（ＵＥ）にダウンリンク制御情報（ＤＣＩ）を送信し、前記ＤＣＩは、復調用参照信号（ＤＭＲＳ）アンテナポートと、scrambling identityと、レイヤ数と、前記無効にされたＴＢのＮＤＩに関連した前記有効にされたＴＢについてのＣｏＭＰ状態と、を示すための８値インジケータを含み、
前記８値インジケータの値が０、２、４または６と等しい場合、前記ＵＥが、２レイヤ、ポート７〜８およびｎＳＣＩＤ＝０が設定されると解釈し、
前記８値インジケータの値が１、３、５または７と等しい場合、前記ＵＥが、２レイヤ、ポート７〜８およびｎＳＣＩＤ＝１が設定されると解釈し、
前記無効にされたＴＢの前記ＮＤＩが所定の状態である場合には、
前記８値インジケータの値が０または１と等しい場合、前記ＵＥが、４つのＣｏＭＰ状態から第１のＣｏＭＰ状態を選択し、
前記８値インジケータの値が２または３と等しい場合、前記ＵＥが、前記４つのＣｏＭＰ状態から第２のＣｏＭＰ状態を選択し、
前記８値インジケータの値が４または５と等しい場合、前記ＵＥが、前記４つのＣｏＭＰ状態から第３のＣｏＭＰ状態を選択し、
前記８値インジケータの値が６または７と等しい場合、前記ＵＥが、前記４つのＣｏＭＰ状態から第４のＣｏＭＰ状態を選択し、
前記無効にされたＴＢの前記ＮＤＩが所定の状態でない場合には、
前記８値インジケータの値が０または１と等しい場合、前記ＵＥが、別の４つのＣｏＭＰ状態から第５のＣｏＭＰ状態を選択し、
前記８値インジケータの値が２または３と等しい場合、前記ＵＥが、前記別の４つのＣｏＭＰ状態から第６のＣｏＭＰ状態を選択し、
前記８値インジケータの値が４または５と等しい場合、前記ＵＥが、前記別の４つのＣｏＭＰ状態から第７のＣｏＭＰ状態を選択し、
前記８値インジケータの値が６または７と等しい場合、前記ＵＥが、前記別の４つのＣｏＭＰ状態から第８のＣｏＭＰ状態を選択する、
無線通信方法。
【請求項２８】
前記有効にされたＴＢが第１のマッピングされたＴＢである場合、および前記有効にされたＴＢが第２のマッピングされたＴＢである場合の各々に対して前記第１のＣｏＭＰ状態から前記第８のＣｏＭＰ状態の異なるセットが設定される、
請求項２７に記載の無線通信方法。
【請求項２９】
より多くのレイヤを有する伝送よりも、より少ないレイヤを有する伝送に対して、より多くのＣｏＭＰ状態を設定する、
請求項１７に記載の無線通信方法。
【請求項３０】
１レイヤ伝送に対して３つのＣｏＭＰ状態が設定され、２レイヤ伝送に対して２つのＣｏＭＰ状態が設定され、３〜８レイヤ伝送に対して１つのＣｏＭＰ状態が設定される、
請求項２９に記載の無線通信方法。
【請求項３１】
１つのトランスポート・ブロック（ＴＢ）が有効にされ１つのＴＢが無効にされる、多地点協調（ＣｏＭＰ）状態をシグナリングする送信ポイント（ＴＰ）であって、
前記有効にされたＴＢおよび前記無効にされたＴＢについて、ダウンリンク制御情報（ＤＣＩ）をユーザ機器（ＵＥ）に送信し、前記ＤＣＩは、復調用参照信号（ＤＭＲＳ）アンテナポートと、scrambling identityと、レイヤ数と、前記無効にされたＴＢのＮＤＩに関連した前記有効にされたＴＢについてのＣｏＭＰ状態と、を示すための８値インジケータを含む、送信部と、
前記有効にされたＴＢの前記ＮＤＩがトグルされていない、または前記有効にされたＴＢに関する前記８値インジケータの値が０、１、２または３と等しい場合は、前記無効にされたＴＢの前記ＮＤＩによって第１のＣｏＭＰ状態および第２のＣｏＭＰ状態から選択されたＣｏＭＰ状態を設定し、前記有効にされたＴＢの前記ＮＤＩがトグルされており、前記８値インジケータの値が４、５、６または７である場合は、前記有効にされたＴＢについて単一レイヤおよび第３のＣｏＭＰ状態を設定し、前記無効にされたＴＢの前記ＮＤＩによって、前記有効にされたＴＢが初回送信であるか再送であるかを設定する設定部と、
を備える送信ポイント。
【請求項３２】
１つのトランスポート・ブロック（ＴＢ）が有効にされ１つのＴＢが無効にされる、多地点協調（ＣｏＭＰ）状態を決定するためのユーザ機器（ＵＥ）であって、
前記有効にされたＴＢおよび前記無効にされたＴＢについて、送信ポイント（ＴＰ）からダウンリンク制御情報（ＤＣＩ）を受信し、前記ＤＣＩは、復調用参照信号（ＤＭＲＳ）アンテナポートと、scrambling identityと、レイヤ数と、前記無効にされたＴＢのＮＤＩに関連した前記有効にされたＴＢについてのＣｏＭＰ状態と、を示すための８値インジケータを含む、受信部と、
前記有効にされたＴＢの前記ＮＤＩがトグルされていない、または前記有効にされたＴＢに関する前記８値インジケータの値が０、１、２または３と等しい場合は、前記無効にされたＴＢの前記ＮＤＩを使用して、第１のＣｏＭＰ状態および第２のＣｏＭＰ状態からＣｏＭＰ状態を選択し、前記有効にされたＴＢの前記ＮＤＩがトグルされており、前記８値インジケータの値が４、５、６または７である場合は、前記有効にされたＴＢについて単一レイヤおよび第３のＣｏＭＰ状態が設定されると解釈し、前記無効にされたＴＢの前記ＮＤＩに基づいて、前記有効にされたＴＢが初回送信であるか再送であるかについて情報を得る決定部と、
を備えるユーザ機器。
【請求項３３】
１つのトランスポート・ブロック（ＴＢ）が有効にされ１つのＴＢが無効にされる、多地点協調（ＣｏＭＰ）状態をシグナリングするための送信ポイント（ＴＰ）であって、
前記有効にされたＴＢおよび前記無効にされたＴＢについて、ダウンリンク制御情報（ＤＣＩ）をユーザ機器（ＵＥ）に送信し、前記ＤＣＩは、復調用参照信号（ＤＭＲＳ）アンテナポートと、scrambling identityと、レイヤ数と、前記無効にされたＴＢのＮＤＩに関連した前記有効にされたＴＢについてのＣｏＭＰ状態と、を示すための８値インジケータを含む、送信部と、
前記有効にされたＴＢに関する前記８値インジケータの値が０、１、２または３と等しい場合は、前記無効にされたＴＢの前記ＮＤＩによって第１のＣｏＭＰ状態および第２のＣｏＭＰ状態から選択されたＣｏＭＰ状態を設定し、前記８値インジケータの値が４、５、６または７であり、前記無効にされたＴＢの前記ＮＤＩが所定の状態である場合は、前記有効にされたＴＢについて単一レイヤおよび第３のＣｏＭＰ状態を設定する設定部と、
を備える送信ポイント。
【請求項３４】
１つのトランスポート・ブロック（ＴＢ）が有効にされ１つのＴＢが無効にされる、多地点協調（ＣｏＭＰ）状態を決定するためのユーザ機器（ＵＥ）であって、
前記有効にされたＴＢおよび前記無効にされたＴＢについて、送信ポイント（ＴＰ）からダウンリンク制御情報（ＤＣＩ）を受信し、前記ＤＣＩは、復調用参照信号（ＤＭＲＳ）アンテナポートと、scrambling identityと、レイヤ数と、前記無効にされたＴＢのＮＤＩに関連した前記有効にされたＴＢについてのＣｏＭＰ状態と、を示すための８値インジケータを含む、受信部と、
前記有効にされたＴＢに関する前記８値インジケータの値が０、１、２または３と等しい場合は、前記無効にされたＴＢの前記ＮＤＩを使用して、第１のＣｏＭＰ状態および第２のＣｏＭＰ状態からＣｏＭＰ状態を選択し、前記８値インジケータの値が４、５、６または７であり、前記無効にされたＴＢの前記ＮＤＩが所定の状態である場合は、前記有効にされたＴＢについて単一レイヤおよび第３のＣｏＭＰ状態が設定されると解釈する決定部と、
を備えるユーザ機器。
【発明の詳細な説明】
【技術分野】
【０００１】
本開示は、無線通信方法、送信ポイント（ＴＰ：Transmission Point）、およびユーザ機器（ＵＥ：User Equipment）に関し、詳細には、ＣｏＭＰ（Coordinated Multipoint。多地点協調）状態をシグナリングする無線通信方法、ならびにそのためのＴＰおよびＵＥに関する。
【背景技術】
【０００２】
２０１２年８月の３ＧＰＰ（3rd Generation Partnership Project） ＲＡＮ１＃７０において、新しい伝送モード（ＴＭ１０）をＬＴＥ−Ａ（Long Term Evolution-Advanced）のＲｅｌ１１に導入することが合意された。ＴＭ１０を導入する目的は、ＵＥ復調プロセスのための単一セル動作よりも追加的な情報を知る必要があるＣｏＭＰ動作をサポートすることである。
【０００３】
動的にシグナリングされるべき（つまり、ダウンリンク制御情報（ＤＣＩ：Downlink Control Information）にあるべき）それらの追加的な情報は、少なくとも、ＵＥがレート・マッチする必要があるセル固有参照信号（ＣＲＳ：Cell-specific Reference Signal）パターン、および、どのチャネル状態情報参照信号（ＣＳＩ−ＲＳ：Channel State Information-Reference Signal）ポートが復調用参照信号（ＤＭＲＳ：Demodulation Reference Signal）ポートと擬似コロケートされる（quasi-colocated）と想定されるべきかという想定を含む。各送信ポイント（ＴＰ）のＭＢＳＦＮ（Multicast-Broadcast Single Frequency Network）サブフレーム構成、および、各送信ポイントのゼロ・パワーＣＳＩ−ＲＳ（zero power CSI-RS）などの他の動的情報もあり得る。しかしながら、本開示では、ＣＲＳパターンおよびアンテナ擬似コロケーション（antenna quasi-colocation）に注目する。なぜならば、この２つが現在のところ最も適した動的シグナリングであるためである。
【０００４】
オーバヘッドを削減するために、ＣＲＳパターンおよびアンテナ擬似コロケーションは単純にＤＣＩ内にあるべきではない。代わりに、ＣＲＳパターンおよびアンテナ擬似コロケーションのいくつかの候補が無線リソース制御（ＲＲＣ：Radio Resource Control）において設定される。ＤＣＩにおいて、ＵＥはこれらの候補から選択する。このような方法は、ＤＣＩオーバヘッドを最低限に抑えながら動的挙動を維持できる。
【０００５】
上位レイヤ（例えば、ＲＲＣまたは媒体アクセス制御（ＭＡＣ：Medium Access Control））のシグナリングのためのいくつかの方法がある。１つの方法は、ＣＲＳパターンとアンテナ擬似コロケーションについて共通の候補を有することである。例えば、候補Ａが｛２つのＣＲＳポートおよび周波数シフト１、第１のＣＳＩ−ＲＳがＤＭＲＳと擬似コロケートされる｝に対応し、候補Ｂが｛４つのＣＲＳポートおよび周波数シフト０、第２のＣＳＩ−ＲＳがＤＭＲＳと擬似コロケートされる｝に対応する、などである。これらは、それぞれ、ＣｏＭＰ状態（以下では単に状態とも呼ばれる）ＡおよびＢと呼ぶこともある。
【０００６】
もう１つの上位レイヤのシグナリングは、ＣＲＳパターンおよびアンテナ擬似コロケーションに対して別個の候補を設定することである。例えば、ＣＲＳパターンに対する３つの候補は、｛２つのポートおよびシフト１、４つのポートおよびシフト０、２つのポートおよびシフト２｝である。アンテナ擬似コロケーションに対する候補は、｛第１のコロケートされたＣＳＩ−ＲＳ、第２のコロケートされたＣＳＩ−ＲＳ、第３のコロケートされたＣＳＩ−ＲＳ｝である。ＵＥは別個のＤＣＩビットを使用して候補を選択する。しかしながら、オーバヘッドが懸念され得る（少なくとも３ビット）。この上位レイヤのシグナリングに対する有効な手法は、ＣＲＳパターンおよびアンテナ擬似コロケーションの特定の組み合わせを具体的に定義し、ＤＣＩを使用して、それらの組み合わせの中から選択をすることである。
【０００７】
上述の両方の上位レイヤシグナリング設計が実現可能である。本開示では、第１のシグナリング設計を例として使用する。しかし、本開示の趣旨は、第２の上位レイヤシグナリング設計に単純に拡張可能であることを理解されたい。
【０００８】
合計１２個までの採りうる状態（４つのＣＲＳパターンおよび３つのアンテナ擬似コロケーション）があるが、上位レイヤにおける１２個の候補は必要ない。なぜならば、ＣＲＳパターンとアンテナ擬似コロケーションとは相関するため、すなわち、第１のＣＲＳパターンが第１のＣＳＩ−ＲＳ擬似コロケーションを暗示し得るためである。したがって、一般に、ほとんどのＣｏＭＰ動作では４つの状態で十分である。次の課題は、ＤＣＩにおけるどのコードポイントがそれらの状態を示すために使用できるかである。
【０００９】
一般に、物理ダウンリンク制御チャネル（ＰＤＣＣＨ：Physical Downlink Control Channel）の容量過負荷を回避するために、ＤＣＩのサイズは小さく維持されることが好ましい。これは特にＣｏＭＰ動作に対して当てはまる。その理由は、ＣｏＭＰ動作がセルエッジ（低ＳＮＲ（Signal-to-Noise Ratio）領域）において行われる可能性が高く、そこではＤＣＩがセル中央（または高ＳＮＲ領域）よりも多くのリソースを必要とし得るからである。
【００１０】
Ｒｅｌ−１０のＴＭ９では、単一セル動作に対してＤＣＩ  ２Ｃが導入されていた。Ｒｅｌ−１１のＴＭ１０では、ＴＭ１０がＣｏＭＰ動作をサポートするので、ＤＣＩ  ２Ｄは、少なくとも、ＤＣＩ  ２Ｃよりも大きくならないはずである。したがって、ＤＣＩサイズを大きくする新たなビットをＤＣＩに追加することは好ましくない。また、ＤＣＩ  ２Ｃにおけるオプションのフィールドを使用することも、ＤＣＩサイズを大きくすることになるため好ましくない。
【００１１】
したがって、ＣｏＭＰ状態をシグナリングするために、ＤＣＩ  ２Ｃにおける既存のコードポイントを再利用／修正することが好ましい。Ｒｅｌ−１０のＤＣＩ  ２Ｃでは、ＤＭＲＳアンテナポート、scrambling identity、および伝送ランク（レイヤ数）が、以下の表のように８値インジケータでシグナリングされる。
【表１】
0005881903.tif 000002
【００１２】
表１の２列は、２つのトランスポート・ブロック（ＴＢ：Transport Block）が有効にされる（enabled）か、１つのＴＢが有効にされるか、すなわち、２つのコードワードが有効にされるか、１つのコードワードが有効にされるかに基づいて決定される。１つのＴＢのみが有効にされる場合、左列が決定される。２つのＴＢが有効にされる場合、右側の列が決定される。
【００１３】
ＴＢが無効にされる（disabled）か有効にされるかを決定する方法は、ＴＢに関連するＭＣＳ（Modulation and Coding Scheme）およびリダンダンシーバージョン（ＲＶ：Redundant Version）に基づいている。ＩＭＣＳ＝０およびｒｖｉｄｘ＝１である場合、対応するＴＢは無効にされる。そうでなければ、ＴＢは有効にされる。１つのＴＢのみが有効にされる場合、ＴＢはＣＷ１にマッピングされる。２つのＴＢが有効にされる場合、ＴＢ１およびＴＢ２はそれぞれＣＷ１およびＣＷ２にマッピングされる。
【００１４】
さらに、第１列の８値インジケータの値４、５、６はそれぞれ、ＴＢが初回送信で２レイヤ、３レイヤ、４レイヤによって送信される場合に、そのＴＢの再送に使用される。
【発明の概要】
【発明が解決しようとする課題】
【００１５】
上記に鑑みて、本開示は、ＤＣＩサイズを大きくすることなくＤＣＩにおいて追加的ＣｏＭＰ状態を示すことを目的とする。
【課題を解決するための手段】
【００１６】
本開示の実施形態によれば、１つのトランスポート・ブロック（ＴＢ）が有効にされ１つのＴＢが無効にされる、多地点協調（ＣｏＭＰ）状態をシグナリングする無線通信方法であって、有効にされたＴＢおよび無効にされたＴＢについて、送信ポイント（ＴＰ）からユーザ機器（ＵＥ）にダウンリンク制御情報（ＤＣＩ）を送信し、ＤＣＩは、復調用参照信号（ＤＭＲＳ）アンテナポートと、scrambling identityと、レイヤ数と、無効にされたＴＢのＮＤＩ（New data Indicator）に関連した有効にされたＴＢについてのＣｏＭＰ状態と、を示すための８値インジケータを含み、有効にされたＴＢのＮＤＩがトグルされていない（untoggled）、または、有効にされたＴＢに関する８値インジケータの値が０、１、２または３と等しい場合、ＵＥが、無効にされたＴＢのＮＤＩを使用して、第１のＣｏＭＰ状態および第２のＣｏＭＰ状態からＣｏＭＰ状態を選択し、有効にされたＴＢのＮＤＩがトグルされており（toggled）、８値インジケータの値が４、５、６または７である場合、ＵＥが、有効にされたＴＢについて単一レイヤおよび第３のＣｏＭＰ状態が設定されると解釈し、無効にされたＴＢのＮＤＩに基づいて、有効にされたＴＢが初回送信であるか再送であるかについて情報を得る無線通信方法が提供される。
【００１７】
本開示の別の実施形態によれば、１つのトランスポート・ブロック（ＴＢ）が有効にされ１つのＴＢが無効にされる、多地点協調（ＣｏＭＰ）状態をシグナリングする無線通信方法であって、有効にされたＴＢおよび無効にされたＴＢについて、送信ポイント（ＴＰ）からユーザ機器（ＵＥ）にダウンリンク制御情報（ＤＣＩ）を送信し、ＤＣＩが、復調用参照信号（ＤＭＲＳ）アンテナポートと、scrambling identityと、層レイヤ数と、無効にされたＴＢの新規データ・インジケータ（ＮＤＩ）に関連した有効にされたＴＢについてのＣｏＭＰ状態と、を示すための８値インジケータを含み、有効にされたＴＢに関する８値インジケータの値が０、１、２または３と等しい場合、ＵＥが、無効にされたＴＢのＮＤＩを使用して、第１のＣｏＭＰ状態および第２のＣｏＭＰ状態からＣｏＭＰ状態を選択し、８値インジケータの値が４、５、６または７であり、無効にされたＴＢのＮＤＩが所定の状態である場合、ＵＥが、有効にされたＴＢについて単一レイヤおよび第３のＣｏＭＰ状態が設定されると解釈する、無線通信方法が提供される。
【００１８】
本開示のさらに別の実施形態によれば、両方のトランスポート・ブロック（ＴＢ）が有効にされる、多地点協調（ＣｏＭＰ）状態をシグナリングする無線通信方法であって、送信ポイント（ＴＰ）からユーザ機器（ＵＥ）にダウンリンク制御情報（ＤＣＩ）を送信し、ＤＣＩは、復調用参照信号（ＤＭＲＳ）アンテナポートと、レイヤ数と、ＣｏＭＰ状態と、を示すための８値インジケータを含み、８値インジケータの値が０または１と等しい場合、ＵＥが、２レイヤおよびポート７〜８が設定されると解釈し、８値インジケータの値が０と等しい場合、ＵＥが、２つのＣｏＭＰ状態から第１のＣｏＭＰ状態を選択し、８値インジケータの値が１と等しい場合、ＵＥが、２つのＣｏＭＰ状態から第２のＣｏＭＰ状態を選択し、８値インジケータの値が２と等しい場合、ＵＥが、３レイヤおよびポート７〜９が設定されると解釈し、８値インジケータの値が３と等しい場合、ＵＥが、４レイヤおよびポート７〜１０が設定されると解釈し、８値インジケータの値が４と等しい場合、ＵＥが、５レイヤおよびポート７〜１１が設定されると解釈し、８値インジケータの値が５と等しい場合、ＵＥが、６レイヤおよびポート７〜１２が設定されると解釈し、８値インジケータの値が６と等しい場合、ＵＥが、７レイヤおよびポート７〜１３が設定されると解釈し、８値インジケータの値が７と等しい場合、ＵＥが、８レイヤおよびポート７〜１４が設定されると解釈する、無線通信方法が提供される。
【００１９】
本開示のさらに別の実施形態によれば、両方のトランスポート・ブロック（ＴＢ）が有効にされる、多地点協調（ＣｏＭＰ）状態をシグナリングする無線通信方法であって、送信ポイント（ＴＰ）からユーザ機器（ＵＥ）にダウンリンク制御情報（ＤＣＩ）を送信し、ＤＣＩは、復調用参照信号（ＤＭＲＳ）アンテナポートと、scrambling identityと、レイヤ数と、ＣｏＭＰ状態と、を示すための８値インジケータを含み、８値インジケータの値が０、１、２または３と等しい場合、ＵＥが、２つのＣｏＭＰ状態から第１のＣｏＭＰ状態を選択し、８値インジケータの値が４、５、６または７と等しい場合、ＵＥが、２つのＣｏＭＰ状態から第２のＣｏＭＰ状態を選択し、８値インジケータの値が０または４と等しい場合、ＵＥが、２レイヤ、ポート７〜８およびｎＳＣＩＤ＝０が設定されると解釈し、８値インジケータの値が１または５と等しい場合、ＵＥが、２レイヤ、ポート７〜８およびｎＳＣＩＤ＝１が設定されると解釈し、８値インジケータの値が２または６と等しい場合、ＵＥが、３レイヤおよびポート７〜９が設定されると解釈し、８値インジケータの値が３または７と等しい場合、ＵＥが、４レイヤおよびポート７〜１０が設定されると解釈する、無線通信方法が提供される。
【００２０】
本開示のさらに別の実施形態によれば、両方のトランスポート・ブロック（ＴＢ）が有効にされる、多地点協調（ＣｏＭＰ）状態をシグナリングする無線通信方法であって、送信ポイント（ＴＰ）からユーザ機器（ＵＥ）にダウンリンク制御情報（ＤＣＩ）を送信し、ＤＣＩは、復調用参照信号（ＤＭＲＳ）アンテナポートと、レイヤ数と、ＣｏＭＰ状態と、を示すための８値インジケータを含み、８値インジケータの値が０、１、４または５と等しい場合、ＵＥが、２レイヤおよびポート７〜８が設定されると解釈し、８値インジケータの値に基づいて４つのＣｏＭＰ状態からＣｏＭＰ状態を選択し、８値インジケータの値が２または６と等しい場合、ＵＥが、３レイヤおよびポート７〜９が設定されると解釈し、８値インジケータの値に基づいて２つのＣｏＭＰ状態からＣｏＭＰ状態を選択し、８値インジケータの値が３または７と等しい場合、ＵＥが、４レイヤおよびポート７〜１０が設定されると解釈し、８値インジケータの値に基づいて２つのＣｏＭＰ状態からＣｏＭＰ状態を選択する、無線通信方法が提供される。
【００２１】
本開示のさらに別の実施形態によれば、両方のトランスポート・ブロック（ＴＢ）が有効にされる、多地点協調（ＣｏＭＰ）状態をシグナリングする無線通信方法であって、送信ポイント（ＴＰ）からユーザ機器（ＵＥ）にダウンリンク制御情報（ＤＣＩ）を送信し、ＤＣＩは、復調用参照信号（ＤＭＲＳ）アンテナポートと、scrambling identityと、レイヤ数と、ＣｏＭＰ状態と、を示すための８値インジケータを含み、８値インジケータの値が０、４または６と等しい場合、ＵＥが、２レイヤ、ポート７〜８、およびｎＳＣＩＤ＝０が設定されると解釈し、８値インジケータの値に基づいて３つのＣｏＭＰ状態からＣｏＭＰ状態を選択し、８値インジケータの値が１、５または７と等しい場合、ＵＥが、２レイヤ、ポート７〜８、およびｎＳＣＩＤ＝１が設定されると解釈し、８値インジケータの値に基づいて３つのＣｏＭＰ状態からＣｏＭＰ状態を選択し、８値インジケータの値が２と等しい場合、ＵＥが、３レイヤおよびポート７〜９が設定されると解釈し、８値インジケータの値が３と等しい場合、ＵＥが、４レイヤおよびポート７〜１０が設定されると解釈する、無線通信方法が提供される。
【００２２】
本開示のさらに別の実施形態によれば、１つのトランスポート・ブロック（ＴＢ）が有効にされ１つのＴＢが無効にされる、多地点協調（ＣｏＭＰ）状態をシグナリングする無線通信方法であって、有効にされたＴＢおよび無効にされたＴＢについて、送信ポイント（ＴＰ）からユーザ機器（ＵＥ）にダウンリンク制御情報（ＤＣＩ）を送信し、ＤＣＩは、復調用参照信号（ＤＭＲＳ）アンテナポートと、scrambling identityと、レイヤ数と、無効にされたＴＢのＮＤＩに関連した有効にされたＴＢについてのＣｏＭＰ状態と、を示すための８値インジケータを含み、８値インジケータの値が０または４と等しい場合、ＵＥが、有効にされたＴＢについて１レイヤ、ポート７およびｎＳＣＩＤ＝０が設定されると解釈し、８値インジケータの値が１または５と等しい場合、ＵＥが、有効にされたＴＢについて１レイヤ、ポート７およびｎＳＣＩＤ＝１が設定されると解釈し、８値インジケータの値が２または６と等しい場合、ＵＥが、有効にされたＴＢについて１レイヤ、ポート８およびｎＳＣＩＤ＝０が設定されると解釈し、８値インジケータの値が３と等しい場合、ＵＥが、有効にされたＴＢについて１レイヤ、ポート８およびｎＳＣＩＤ＝１が設定されると解釈し、無効にされたＴＢのＮＤＩが所定の状態である場合には、８値インジケータの値が０、１、２または３と等しい場合、ＵＥが、４つのＣｏＭＰ状態から第１のＣｏＭＰ状態を選択し、８値インジケータの値が４、５、６または７と等しい場合、ＵＥが、４つのＣｏＭＰ状態から第２のＣｏＭＰ状態を選択し、８値インジケータの値が７と等しい場合、ＵＥが、有効にされたＴＢについて１レイヤ、ポート８およびｎＳＣＩＤ＝１が設定されると解釈し、無効にされたＴＢのＮＤＩが所定の状態でない場合には、８値インジケータの値が０、１、２または３と等しい場合、ＵＥが、４つのＣｏＭＰ状態から第３のＣｏＭＰ状態を選択し、８値インジケータの値が４、５または６と等しい場合、ＵＥが、４つのＣｏＭＰ状態から第４のＣｏＭＰ状態を選択する、無線通信方法が提供される。
【００２３】
本開示のさらに別の実施形態によれば、両方のトランスポート・ブロック（ＴＢ）が有効にされる、多地点協調（ＣｏＭＰ）状態をシグナリングする無線通信方法であって、送信ポイント（ＴＰ）からユーザ機器（ＵＥ）にダウンリンク制御情報（ＤＣＩ）を送信し、ＤＣＩは、ＤＭＲＳアンテナポートと、scrambling identityと、レイヤ数と、ＣｏＭＰ状態と、を示すための８値インジケータを含み、８値インジケータの値が０、２、４または６と等しい場合、ＵＥが、２レイヤ、ポート７〜８、およびｎＳＣＩＤ＝０が設定されると解釈し、８値インジケータの値が１、３、５または７と等しい場合、ＵＥが、２レイヤ、ポート７〜８およびｎＳＣＩＤ＝１が設定されると解釈し、８値インジケータの値が０または１と等しい場合、ＵＥが、４つのＣｏＭＰ状態から第１のＣｏＭＰ状態を選択し、８値インジケータの値が２または３と等しい場合、ＵＥが、４つのＣｏＭＰ状態から第２のＣｏＭＰ状態を選択し、８値インジケータの値が４または５と等しい場合、ＵＥが、４つのＣｏＭＰ状態から第３のＣｏＭＰ状態を選択し、８値インジケータの値が６または７と等しい場合、ＵＥが、４つのＣｏＭＰ状態から第４のＣｏＭＰ状態を選択する、無線通信方法が提供される。
【００２４】
本開示のさらに別の実施形態によれば、１つのトランスポート・ブロック（ＴＢ）が有効にされ１つのＴＢが無効にされる、多地点協調（ＣｏＭＰ）状態をシグナリングする無線通信方法であって、送信ポイント（ＴＰ）からユーザ機器（ＵＥ）にダウンリンク制御情報（ＤＣＩ）を送信し、ＤＣＩは、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含み、８値インジケータの値が０、２、４または６と等しい場合、ＵＥが、２レイヤ、ポート７〜８、およびｎＳＣＩＤ＝０が設定されると解釈し、８値インジケータの値が１、３、５、または７と等しい場合、ＵＥが、２レイヤ、ポート７〜８、およびｎＳＣＩＤ＝１が設定されると解釈し、無効にされたＴＢのＮＤＩが所定の状態である場合には、８値インジケータの値が０または１と等しい場合、ＵＥが、４つのＣｏＭＰ状態から第１のＣｏＭＰ状態を選択し、８値インジケータの値が２または３と等しい場合、ＵＥが、４つのＣｏＭＰ状態から第２のＣｏＭＰ状態を選択し、８値インジケータの値が４または５と等しい場合、ＵＥが、４つのＣｏＭＰ状態から第３のＣｏＭＰ状態を選択し、８値インジケータの値が６または７と等しい場合、ＵＥが、４つのＣｏＭＰ状態から第４のＣｏＭＰ状態を選択し、無効にされたＴＢのＮＤＩが所定の状態でない場合には、８値インジケータの値が０または１と等しい場合、ＵＥが、別の４つのＣｏＭＰ状態から第５のＣｏＭＰ状態を選択し、８値インジケータの値が２または３と等しい場合、ＵＥが、該別の４つのＣｏＭＰ状態から第６のＣｏＭＰ状態を選択し、８値インジケータの値が４または５と等しい場合、ＵＥが、該別の４つのＣｏＭＰ状態から第７のＣｏＭＰ状態を選択し、８値インジケータの値が６または７と等しい場合、ＵＥが、該別の４つのＣｏＭＰ状態から第８のＣｏＭＰ状態を選択する、無線通信方法が提供される。
【００２５】
本開示のさらに別の実施形態によれば、多地点協調（ＣｏＭＰ）状態を構成する無線通信方法であって、より多くのレイヤを有する伝送よりも、より少ないレイヤを有する伝送に対して、より多くのＣｏＭＰ状態を設定することを含む無線通信方法が提供される。
【００２６】
本開示のさらに別の実施形態によれば、１つのトランスポート・ブロック（ＴＢ）が有効にされ１つのＴＢが無効にされる、多地点協調（ＣｏＭＰ）状態をシグナリングするための送信ポイント（ＴＰ）であって、有効にされたＴＢおよび無効にされたＴＢについて、ダウンリンク制御情報（ＤＣＩ）をユーザ機器（ＵＥ）に送信し、ＤＣＩは、復調用参照信号（ＤＭＲＳ）アンテナポートと、scrambling identityと、レイヤ数と、無効にされたＴＢのＮＤＩに関連した有効にされたＴＢについてのＣｏＭＰ状態と、を示すための８値インジケータを含む、送信部と、有効にされたＴＢのＮＤＩがトグルされていない、または有効にされたＴＢに関する８値インジケータの値が０、１、２または３と等しい場合は、無効にされたＴＢのＮＤＩによって第１のＣｏＭＰ状態および第２のＣｏＭＰ状態から選択されたＣｏＭＰ状態を設定し、有効にされたＴＢのＮＤＩがトグルされており、８値インジケータの値が４、５、６または７である場合は、有効にされたＴＢについて単一レイヤおよび第３のＣｏＭＰ状態を設定し、無効にされたＴＢのＮＤＩによって、有効にされたＴＢが初回送信であるか再送であるかを設定する設定部と、を備える送信ポイントが提供される。
【００２７】
本開示のさらに別の実施形態によれば、１つのトランスポート・ブロック（ＴＢ）が有効にされ１つのＴＢが無効にされる、多地点協調（ＣｏＭＰ）状態を決定するためのユーザ機器（ＵＥ）であって、有効にされたＴＢおよび無効にされたＴＢについて、送信ポイント（ＴＰ）からダウンリンク制御情報（ＤＣＩ）を受信し、ＤＣＩは、復調用参照信号（ＤＭＲＳ）アンテナポートと、scrambling identityと、レイヤ数と、無効にされたＴＢのＮＤＩに関連した有効にされたＴＢについてのＣｏＭＰ状態と、を示すための８値インジケータを含む、受信部と、有効にされたＴＢのＮＤＩがトグルされていない、または有効にされたＴＢに関する８値インジケータの値が０、１、２または３と等しい場合は、無効にされたＴＢのＮＤＩを使用して、第１のＣｏＭＰ状態および第２のＣｏＭＰ状態からＣｏＭＰ状態を選択し、有効にされたＴＢのＮＤＩがトグルされており、８値インジケータの値が４、５、６または７である場合は、有効にされたＴＢについて単一レイヤおよび第３のＣｏＭＰ状態が設定されると解釈し、無効にされたＴＢのＮＤＩに基づいて、有効にされたＴＢが初回送信であるか再送であるかについて情報を得る決定部と、を備えるユーザ機器が提供される。
【００２８】
本開示のさらに別の実施形態によれば、１つのトランスポート・ブロック（ＴＢ）が有効にされ１つのＴＢが無効にされる、多地点協調（ＣｏＭＰ）状態をシグナリングするための送信ポイント（ＴＰ）であって、有効にされたＴＢおよび無効にされたＴＢについて、ダウンリンク制御情報（ＤＣＩ）をユーザ機器（ＵＥ）に送信し、ＤＣＩは、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含む、送信部と、有効にされたＴＢに関する８値インジケータの値が０、１、２または３と等しい場合は、無効にされたＴＢのＮＤＩによって第１のＣｏＭＰ状態および第２のＣｏＭＰ状態から選択されたＣｏＭＰ状態を設定し、８値インジケータの値が４、５、６または７であり、無効にされたＴＢのＮＤＩが所定の状態である場合は、有効にされたＴＢについて単一レイヤおよび第３のＣｏＭＰ状態を設定する設定部と、を備える送信ポイントが提供される。
【００２９】
本開示のさらに別の実施形態によれば、１つのトランスポート・ブロック（ＴＢ）が有効にされ１つのＴＢが無効にされる、多地点協調（ＣｏＭＰ）状態を決定するためのユーザ機器（ＵＥ）であって、有効にされたＴＢおよび無効にされたＴＢについて、送信ポイント（ＴＰ）からダウンリンク制御情報（ＤＣＩ）を受信し、ＤＣＩは、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含む、受信部と、有効にされたＴＢに関する８値インジケータの値が０、１、２または３と等しい場合は、無効にされたＴＢのＮＤＩを使用して、第１のＣｏＭＰ状態および第２のＣｏＭＰ状態からＣｏＭＰ状態を選択し、８値インジケータの値が４、５、６または７であり、無効にされたＴＢのＮＤＩが所定の状態である場合は、有効にされたＴＢについて単一レイヤおよび第３のＣｏＭＰ状態が設定されると解釈する決定部と、を備えるユーザ機器が提供される。
【００３０】
本開示の上記および他の特徴は、添付の図面と併せて、以下の説明および添付の特許請求の範囲からより完全に明らかとなろう。これらの図面は、本開示によるいくつかの実施形態を示すに過ぎず、したがって本開示の範囲を限定するとみなされるべきでないことを理解したうえで、添付の図面を使用して、本開示をより具体的かつ詳細に説明する。
【図面の簡単な説明】
【００３１】
【図１】本開示の第１の実施形態に係る無線通信方法を示す図
【図２】動的ポイント選択（ＤＰＳ：Dynamic Point Selection）動作における無線通信システムを概略的に示す図
【図３】ジョイント送信（ＪＴ：Joint Transmission）動作における無線通信システムを概略的に示す図
【図４】本開示の第２の実施形態に係る有効にされたＴＢ１および無効にされたＴＢ２についての動作状態を概略的に示す図
【図５】第２の実施形態に係る無線通信方法を示す図
【図６】第２の実施形態に係る送信ポイント（ＴＰ）を概略的に示すブロック図
【図７】第２の実施形態に係るユーザ機器（ＵＥ）を概略的に示すブロック図
【図８】本開示の第３の実施形態に係る有効にされたＴＢ１および無効にされたＴＢ２についての動作状態を概略的に示す図
【図９】本開示の第３の実施形態に係る無線通信方法を示す図
【図１０】第３の実施形態に係る送信ポイント（ＴＰ）を概略的に示すブロック図
【図１１】第３の実施形態に係るユーザ機器（ＵＥ）を概略的に示すブロック図
【図１２】本開示の第４の実施形態に係る無線通信方法を示す図
【図１３】本開示の第５の実施形態に係る無線通信方法を示す図
【図１４】本開示の第５の実施形態に係る無線通信方法を示す図
【図１５】本開示の第５の実施形態に係る無線通信方法を示す図
【図１６】本開示の第６の実施形態に係る無線通信方法を示す図
【図１７】本開示の第７の実施形態に係る無線通信方法を示す図
【図１８】本開示の第７の実施形態に係る無線通信方法を示す図
【発明を実施するための形態】
【００３２】
以下の発明を実施するための形態では、その一部をなす添付の図面を参照する。図面では、文脈により別段の指定がない限り、同様の記号は一般に同様の構成要素を示す。本開示の態様は、様々な異なる構成で配置、置換、組み合わせ、および設計が行われる可能性があり、それらの構成のすべてが明確に企図され本開示の一部をなすことは容易に理解されよう。
【００３３】
（第１の実施形態）
本発明者らは、ＣｏＭＰ動作における異なる伝送ランクに対して異なる数の状態があることが理にかなっており、より多くのレイヤ（より高いランク）の伝送に対して、より少ない数の状態が必要とされ得ることに注目する。例えば、単一レイヤ伝送に少なくとも３つの状態が必要なことがあり、２レイヤ伝送では、それがセル中央である可能性が高いので、必要な状態の数はより少なくなり得る（例えば２つの状態）。さらに多くのレイヤの伝送、例えば３〜８レイヤ伝送の場合、必要な状態の数はさらに少なくなる可能性がある。例えば、３〜８レイヤ伝送には１つの状態のみで十分であることもある。なぜならば、３〜８レイヤ伝送は、単一セル動作で行われること、または、ＵＥがＴＰに非常に近くに位置し、別のＴＰに即座には移動できない状態で行われること多いためである。よって、３〜８レイヤ伝送では、上位レイヤ（例えば、ＲＲＣまたはＭＡＣレイヤ）を介して単一状態をシグナリングまたは設定することで十分である。したがって、より多くのレイヤを有する伝送よりも、より少ないレイヤを有する伝送に対して、より多くのＣｏＭＰ状態を設定することが理にかなっている。
【００３４】
上記に鑑みて、本開示の第１の実施形態では、図１に示すように、より多くのレイヤを有する伝送よりも、より少ないレイヤを有する伝送に対して、より多くのＣｏＭＰ状態を設定する（ステップ１０１）、ＣｏＭＰ状態を設定する無線通信方法を提供する。具体的には、１レイヤ伝送に対して３つのＣｏＭＰ状態が設定され、２レイヤ伝送に対して２つのＣｏＭＰ状態が設定され、３〜８レイヤ伝送に対して１つのＣｏＭＰ状態が設定される。これらのＣｏＭＰ状態は、ＤＣＩ内のインジケータに基づいてＵＥが選択するために、上位レイヤを介してＴＰからＵＥにシグナリングされ得る。ここで、「ＣｏＭＰ状態」は、場合によっては「ＣｏＭＰ状態」以外の単一セル状態であるが、本開示では概して「ＣｏＭＰ状態」と呼ぶことに留意されたい。以下では、ＣｏＭＰ動作における状態を説明するための２つの例を説明する。
【００３５】
図２は、ＤＰＳ動作における無線通信システムを概略的に示す。この状況では、ＵＥは、マクロＴＰおよびピコＴＰに関連し、表２に挙げられるように３つのＣｏＭＰ状態があり得る。
【表２】
0005881903.tif 000003
【００３６】
表２において、状態Ａは、単一ポイント動作であり、マクロＰＤＳＣＨ伝送を示す。状態Ｂは、単一ポイント動作であり、ピコＰＤＳＣＨ伝送を示す。状態Ｃは、動的ブランキング（dynamic blanking）動作であり、ピコＰＤＳＣＨ伝送を示す。状態Ｃでは、ＣＲＥ領域内のＵＥが、ピコからのＣＲＳ電力よりも大きいマクロからのＣＲＳ干渉を受けるので、ＤＭＲＳがピコＣＳＩ−ＲＳと擬似コロケートされるが、マクロからのＣＲＳをレート・マッチすることが好ましい。
【００３７】
単一レイヤ伝送では、ＵＥは上述の３つの状態すべてになり得る。すなわち、ＵＥはＤＣＩを使用して状態Ａ、ＢまたはＣから選択することができる。２レイヤ伝送では、ＵＥは状態ＡまたはＢのみになることが可能である。すなわち、２レイヤ伝送は厳しいＣＲＥ領域内で行われる可能性が低いので、ＵＥはＤＣＩを使用して状態ＡまたはＢのみから選択をすることができる。さらに多くのレイヤの伝送、例えば、３〜８レイヤ伝送では、ＵＥがマクロＴＰまたはピコＴＰに非常に近くなければならず、他のＴＰに即座に移動する可能性が低いので、単一状態で十分であり得る。また、単一状態（例えばＡまたはＢ）が上位レイヤを介してシグナリングできる。
【００３８】
図３は、ジョイント送信（ＪＴ）動作における無線通信システムを概略的に示す。この状況では、ＵＥは、２つのマクロＴＰ（マクロＩおよびマクロＩＩ）に関連し、表３に挙げるような３つのＣｏＭＰ状態があり得る。
【表３】
0005881903.tif 000004
【００３９】
表３において、状態Ａは、マクロＩを有する単一セル動作であり、状態Ｂは、マクロＩＩを有する単一セル動作であり、状態Ｃは、ＪＴモードにある。単一レイヤ伝送では、ＵＥは上述の３つの状態すべてになり得る。すなわち、ＵＥはＤＣＩを使用して状態Ａ、ＢまたはＣから選択をすることができる。しかしながら、２レイヤ伝送では、ＵＥがマクロＩ中央からマクロＩＩ中央へ動的に移動しないので、ＵＥは、３つすべての状態の間で動的に切り替わる必要がない。ＵＥは、ＤＣＩを使用して、状態ＡおよびＣから、または状態ＢおよびＣから選択をすることができる。また、状態ＡおよびＣのセットまたは状態ＢおよびＣのセットが上位レイヤを介して設定される。さらに多くのレイヤの伝送、例えば、３〜８レイヤ伝送では、ＵＥが１つのＴＰに非常に近くなければならず、他のＴＰに即座に移動することが不可能であるので、単一状態で十分であり得る。また、単一状態（例えば状態ＡまたはＢ）が上位レイヤを介してシグナリングできる。
【００４０】
上記の状態Ａ、ＢまたはＣは一例であり、本開示で言及される状態は上述の状態に限定されず、本開示は任意のＣｏＭＰ状態に適用され得ることに留意されたい。また、他の実施形態における状態Ａ、ＢおよびＣは、上記の例における状態Ａ、ＢおよびＣに対応する必要がなく、例えば、第２の実施形態で説明される状態Ａは、上記の例における状態Ａである必要がなく、上述の状態ＢもしくはＣまたは任意の他のＣｏＭＰ状態であってもよい。
【００４１】
（第２の実施形態）
単一レイヤ伝送では、１つのＣＷのみが有効にされる。すなわち１つのＴＢのみが有効にされる。無効にされたＣＷはＩＭＣＳ＝０およびｒｖｉｄｘ＝１を有し、無効にされたＣＷのＮＤＩ（New Data Indicator）は使用されない。したがって、表１の左列の値０、１、２、３に対応する単一レイヤ伝送について、無効にされたＣＷのＮＤＩを使用して、ＣｏＭＰ状態（例えば、状態ＡまたはＢ）を示すことができる。
【００４２】
しかしながら、２つの状態では単一レイヤＣｏＭＰ動作には十分でないことがある。本発明者らは、背景技術で論じたようにマルチレイヤ１ＣＷ伝送が再送のみに使用されるので、有効にされたＴＢが新規データである（有効にされたＴＢのＮＤＩ＝トグルされている）場合、値＝４、５、６、７（表１参照）が使用されないことに注目する。したがって、図４に示すように、単一レイヤ伝送のための第３のＣｏＭＰ状態（例えば状態Ｃ）を示すために、それらのコードポイント（図４におけるＶ１およびＶ２）を再利用することが可能である。図４および以下の説明では、ＴＢ１が有効にされるのに対しＴＢ２が無効にされるように想定される。ただし、ＴＢ２が有効にされてＴＢ１が無効にされる場合も同じように説明することができる。図４は、有効にされたＴＢのＮＤＩ（ＮＤＩ１）および無効にされたＴＢのＮＤＩ（ＮＤＩ２）に関連して、有効にされたＴＢの８値インジケータが示すことが可能である状態を示す。上記に説明したように、有効にされたＴＢのＮＤＩがトグルされている場合、ＬＴＥ  Ｒｅｌ−１０の仕様では、マルチレイヤコードポイント（すなわち、８値インジケータの値が４、５、６、または７）は１ＣＷ伝送に使用されない。図４では、空の（使用されない）コードポイントがブロックＶ１およびＶ２に示される。本開示の実施形態では、これらの空のコードポイントが、単一レイヤ伝送の第３の状態（例えば状態Ｃ）を示すために使用される。また、ＮＤＩ２は、第３の状態における単一レイヤ伝送が、初回送信（新規データ）であるか再送であるか（それぞれブロックＶ１、Ｖ２に対応）を示すために使用される。例えば、図４において、ブロックＶ１（値＝４、５、６または７、およびＮＤＩ２＝０またはトグルされていない）は、第３の状態における単一レイヤ再送を示すことができる。ブロックＶ２（値＝４、５、６または７、およびＮＤＩ２＝１またはトグルされている）は、第３の状態における単一レイヤ初回送信を示すことができる。Ｖ１とＶ２の意味は交換され得ることは明らかである。ＮＤＩ２は、０または１の形態で表すことができる。例えば、「０」は再送を表し、「１」は初回送信を表すことに留意されたい。あるいは、ＮＤＩ２は、前回の送信におけるＮＤＩ１に対してトグルされているまたはトグルされていない形態とすることができる。例えば、ＮＤＩ２が前回の送信におけるＮＤＩ１に対して変更される（トグルされている）場合、ＮＤＩ２は現在の送信が初回送信（新規データ）であることを示し、ＮＤＩ２が前回の送信におけるＮＤＩ１に対して変更されない（トグルされていない）場合、ＮＤＩ２は現在の送信が再送であることを示す。
【００４３】
上記分析に鑑みて、本開示の実施形態は、図５に示すように、１つのトランスポート・ブロック（ＴＢ）が有効にされ１つのＴＢが無効にされる、ＣｏＭＰ状態をシグナリングする無線通信方法であって、有効にされたＴＢ（上記の例ではＴＢ１）および無効にされたＴＢ（上記の例ではＴＢ２）について、送信ポイント（ＴＰ）からユーザ機器（ＵＥ）にダウンリンク制御情報（ＤＣＩ）を送信することであって、ＤＣＩが、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含み（ステップ５０１）、有効にされたＴＢのＮＤＩがトグルされていない、または有効にされたＴＢに関する８値インジケータの値が０、１、２または３と等しい場合、ＵＥが、無効にされたＴＢのＮＤＩを使用して、第１のＣｏＭＰ状態および第２のＣｏＭＰ状態からＣｏＭＰ状態を選択し（ステップ５０２）、有効にされたＴＢのＮＤＩがトグルされており、８値インジケータの値が４、５、６または７である場合、ＵＥが、有効にされたＴＢについて単一レイヤおよび第３のＣｏＭＰ状態が設定されると解釈し、無効にされたＴＢのＮＤＩに基づいて、有効にされたＴＢが初回送信であるか再送であるかについて情報を得る（ステップ５０３）、ことを含む無線通信方法を提供する。条件付きステップ（ステップ５０２およびステップ５０３）は、必ずしも記載した順序で行われる必要がなく、例えば、逆の順序または同時に行われてもよいことに留意されたい。この注釈は本開示の任意の方法に対して当てはまる。
【００４４】
上記の無線通信方法では、８値インジケータは表１に対応し、ＤＭＲＳアンテナポート（例えば、ポート７、ポート７〜８など）と、scrambling identity（ｎＳＣＩＤ）と、レイヤ数（例えば、１レイヤ、２レイヤなど）とを示す。第１のＣｏＭＰ状態、第２のＣｏＭＰ状態、および第３のＣｏＭＰ状態は、上位レイヤ（例えば、ＲＲＣまたはＭＡＣ）を介して設定することができる。これらの状態は、第１の実施形態で説明した状態Ａ、ＢまたはＣあるいは任意の他のＣｏＭＰ状態とすることができる。無効にされたＴＢのＮＤＩ（ＮＤＩ２）は、０または１の形態で表すことができ、例えば、「０」は再送を表し、「１」は初回送信を表す。あるいは、ＮＤＩ２は、前回の送信における有効にされたＴＢのＮＤＩ（ＮＤＩ１）に対してトグルされている、またはトグルされていない形態とすることができる。例えば、ＮＤＩ２が前回の送信におけるＮＤＩ１に対して変更される（トグルされている）場合、ＮＤＩ２は現在の送信が初回送信（新規データ）であることを示し、ＮＤＩ２が前回の送信におけるＮＤＩ１に対して変更されない（トグルされていない）場合、ＮＤＩ２は現在の送信が再送であることを示す。
【００４５】
さらに、有効にされたＴＢのＮＤＩがトグルされていない、または有効にされたＴＢに関する８値インジケータの値が０、１、２または３と等しい場合、ＵＥは、Ｒｅｌ−１０に従って、ＤＭＲＳアンテナポート、scrambling identity、およびレイヤ数をシグナリングすることができる。言い換えれば、上記無線通信方法はさらに、８値インジケータの値が０と等しい場合、ＵＥが、有効にされたＴＢについて１レイヤ、ポート７およびｎＳＣＩＤ＝０が設定されると解釈し、８値インジケータの値が１と等しい場合、ＵＥが、有効にされたＴＢについて１レイヤ、ポート７およびｎＳＣＩＤ＝１が設定されると解釈し、８値インジケータの値が２と等しい場合、ＵＥが、有効にされたＴＢについて１レイヤ、ポート８およびｎＳＣＩＤ＝０が設定されると解釈し、８値インジケータの値が３と等しい場合、ＵＥが、有効にされたＴＢについて１レイヤ、ポート８およびｎＳＣＩＤ＝１が設定されると解釈することと、有効にされたＴＢのＮＤＩがトグルされていない場合には、８値インジケータの値が４と等しい場合、ＵＥが、有効にされたＴＢについて２レイヤおよびポート７〜８が設定されると解釈し、８値インジケータの値が５と等しい場合、ＵＥが、有効にされたＴＢについて３レイヤおよびポート７〜９が設定されると解釈し、８値インジケータの値が６と等しい場合、ＵＥが、有効にされたＴＢについて４レイヤおよびポート７〜１０が設定されると解釈し、８値インジケータの値が７と等しい場合、ＵＥが、７の値が予約されていると解釈することと、有効にされたＴＢのＮＤＩがトグルされている場合には、８値インジケータの値が４と等しい場合、ＵＥが、有効にされたＴＢについて１レイヤ、ポート７およびｎＳＣＩＤ＝０が設定されると解釈し、８値インジケータの値が５と等しい場合、ＵＥが、有効にされたＴＢについて１レイヤ、ポート７およびｎＳＣＩＤ＝１が設定されると解釈し、８値インジケータの値が６と等しい場合、ＵＥが、有効にされたＴＢについて１レイヤ、ポート８およびｎＳＣＩＤ＝０が設定されると解釈し、８値インジケータの値が７と等しい場合、ＵＥが、有効にされたＴＢについて１レイヤ、ポート８およびｎＳＣＩＤ＝１が設定されると解釈することと、を含むことができる。
【００４６】
表４は、第２の実施形態の例示的動作を示す。
【表４】
0005881903.tif 000005
【００４７】
上記の表から、本提案なしでは、単一レイヤ伝送とマルチレイヤ伝送の両方に関して２つの状態のみを示せるが（状態Ａおよび状態Ｂの行を参照）、第２の実施形態では、単一レイヤ伝送に関して３つの状態が示される（状態Ｃの行を参照）ことが理解できる。したがって、本開示の第２の実施形態によれば、ＤＣＩサイズを増加させることなく、追加的なＣｏＭＰ状態がＤＣＩにおいて通知される。
【００４８】
さらに、第２の実施形態の変形例により、ＣｏＭＰ状態を更に増加させることができる。第２の実施形態によって、単一レイヤに対して３つの状態が可能になる。さらに、第２の実施形態と、どのＴＢが無効であるかに関する情報を組み合わせることができる。例えば、ＴＢ２（第２のマッピングされたＴＢ）が無効にされ、ＴＢ１（第１のマッピングされたＴＢ）が有効にされる場合、単一レイヤ伝送に対して状態Ａ／Ｂ／Ｃを示すことが可能であり、マルチレイヤ伝送に対して状態Ａ／Ｂを示すことが可能である。ＴＢ１が無効にされ、ＴＢ２が有効にされる場合、単一レイヤ伝送に対して状態Ｄ／Ｅ／Ｆを示すことが可能であり、マルチレイヤ伝送に対して状態Ｄ／Ｅを示すことが可能である。言い換えれば、有効にされたＴＢが第１のマッピングされたＴＢである場合、および有効にされたＴＢが第２のマッピングされたＴＢである場合について、それぞれ、第１のＣｏＭＰ状態、第２のＣｏＭＰ状態および第３のＣｏＭＰ状態の異なるセットが設定可能となる。
【００４９】
有効にされたＴＢが第１のマッピングされたＴＢである場合、および、有効にされたＴＢが第２のマッピングされたＴＢである場合について、状態の異なるセットを設定する発想は、ＣｏＭＰ状態をさらに増やすために他の１ＣＷの実施形態に適用されてもよいことに留意されたい。
【００５０】
この変形例は、どのＴＢが有効にされるかをＴＰが自由に選択できるため、初回送信に非常に有用である。一方、この変形例は、再送では初回送信と同じＴＢにあるはずなので、再送の場合にいくらかの制限がある。したがって、ＴＰは、再送のためにどのＴＢが有効にされるかを選択する自由がない。再送のＣｏＭＰ状態を初回送信のＣｏＭＰ状態のセットと同じになるように制限することは許容され得る。例えば、ＪＴ  ＣｏＭＰをサポートするために状態Ａ／Ｂ／Ｃを使用し、動的ブランキングＣｏＭＰをサポートするために状態Ｄ／Ｅ／Ｆを使用する場合、初回送信と再送の間には数個のサブフレームしかないため、初回送信と再送の間でＣｏＭＰ動作が変更されないと想定するのが合理的である。
【００５１】
図６は、本開示の第１の実施形態に係るＴＰ６００を示すブロック図である。ＴＰ６００は、有効にされたＴＢおよび無効にされたＴＢについて、ダウンリンク制御情報（ＤＣＩ）をユーザ機器（ＵＥ）に送信する送信部６０１を含む。ＤＣＩは、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含む。ＴＰ６００は、また、有効にされたＴＢのＮＤＩがトグルされていない、または有効にされたＴＢに関する８値インジケータの値が０、１、２または３と等しい場合は、無効にされたＴＢのＮＤＩによって第１のＣｏＭＰ状態および第２のＣｏＭＰ状態から選択されたＣｏＭＰ状態を設定し、有効にされたＴＢのＮＤＩがトグルされており、８値インジケータの値が４、５、６または７である場合は、有効にされたＴＢについて単一レイヤおよび第３のＣｏＭＰ状態を設定し、無効にされたＴＢのＮＤＩによって、有効にされたＴＢが初回送信であるか再送であるかを設定する設定部６０２を含む。
【００５２】
本開示によるＴＰ６００はさらに、関連するプログラムを実行して、種々のデータを処理し、ＴＰ６００内の各ユニットの動作を制御するＣＰＵ（Central Processing Unit）６１０、ＣＰＵ６１０によって種々の処理および制御を実行するために必要とされる種々のプログラムを記憶するためのＲＯＭ（Read Only Memory）６１３、ＣＰＵ６１０によって処理および制御の手順で一時的に生成される中間データを記憶するＲＡＭ（Random Access Memory）６１５、および／または、種々のプログラムおよびデータなどを記憶する記憶部６１７を含む。上記の送信部６０１、設定部６０２、ＣＰＵ６１０、ＲＯＭ６１３、ＲＡＭ６１５、および／または記憶部６１７などは、データ／コマンド・バス６２０を介して相互接続され、互いに信号を転送することが可能である。
【００５３】
上述の各ユニットは、本開示の範囲を限定するものではない。本開示の一実施形態によれば、上記の送信部６０１および設定部６０２の機能は、送信部のような単一のユニットによって実装されてもよく、上記の送信部６０１および設定部６０２のいずれかまたは組み合わせの機能は、上記のＣＰＵ６１０、ＲＯＭ６１３、ＲＡＭ６１５、および／または記憶部６１７などと組み合わされた機能的ソフトウェアによって実装されてもよい。
【００５４】
図７は、本開示の第１の実施形態に係るＵＥ７００を示すブロック図である。ＵＥ７００は、有効にされたＴＢおよび無効にされたＴＢについて、送信ポイント（ＴＰ）からダウンリンク制御情報（ＤＣＩ）を受信する受信部７０１を含む。ＤＣＩは、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含む。ＵＥ７００は、また、有効にされたＴＢのＮＤＩがトグルされていない、または有効にされたＴＢに関する８値インジケータの値が０、１、２または３と等しい場合は、無効にされたＴＢのＮＤＩを使用して、第１のＣｏＭＰ状態および第２のＣｏＭＰ状態からＣｏＭＰ状態を選択し、有効にされたＴＢのＮＤＩがトグルされており、８値インジケータの値が４、５、６または７である場合は、有効にされたＴＢについて単一レイヤおよび第３のＣｏＭＰ状態が設定されると解釈し、無効にされたＴＢのＮＤＩに基づいて、有効にされたＴＢが初回送信であるか再送であるかについて情報を得る決定部７０２を含む。
【００５５】
本開示によるＵＥ７００はさらに、関連するプログラムを実行して、種々のデータを処理し、ＵＥ７００内の各ユニットの動作を制御するＣＰＵ（Central Processing Unit）７１０、ＣＰＵ７１０によって種々の処理および制御を実行するために必要とされる種々のプログラムを記憶するためのＲＯＭ（Read Only Memory）７１３、ＣＰＵ７１０によって処理および制御の手順で一時的に生成される中間データを記憶するためのＲＡＭ（Random Access Memory）７１５、および／または、種々のプログラムおよびデータなどを記憶する記憶部７１７を含む。上記の受信部７０１、決定部７０２、ＣＰＵ７１０、ＲＯＭ７１３、ＲＡＭ７１５、および／または記憶部７１７などは、データ／コマンド・バス７２０を介して相互接続され、互いに信号を転送することが可能である。
【００５６】
上述の各ユニットは、本開示の範囲を限定するものではない。本開示の一実施形態によれば、上記の受信部７０１および決定部７０２の機能は、受信部のような単一のユニットによって実装されてもよく、上記の受信部７０１および決定部７０２のいずれかまたは組み合わせの機能は、上記のＣＰＵ７１０、ＲＯＭ７１３、ＲＡＭ７１５、および／または記憶部７１７などと組み合わされた機能的ソフトウェアによって実装されてもよい。
【００５７】
（第３の実施形態）
第３の実施形態は、ＣｏＭＰ伝送にほとんどならないマルチレイヤ１ＣＷ伝送のために複数の状態を示す必要がないという事実を利用する。マルチレイヤ１ＣＷ伝送がＣｏＭＰ伝送にほとんどならないのは、関連する初回送信がランク３〜８であり、ＣｏＭＰ伝送になる可能性が非常に低いからである。ランク３〜８は、非常にセル中央のものであり、初回送信と再送の間に数個のサブフレームがあるだけである。したがって、そのような短時間にＣｏＭＰモードに変更される可能性は低い。これに関連して、マルチレイヤ伝送には１つの状態のみが設定されればよく、その１つの状態は上位レイヤを介して設定できるので、マルチレイヤ伝送について複数の異なる状態を示すためにＮＤＩ２（無効にされたＴＢのＮＤＩ）を使用する必要がない。したがって、値＝４、５、６または７であるとき、本明細書によればＮＤＩ２は有用でない。第３の実施形態によれば、値＝４、５、６または７であるとき、ＮＤＩ２は単一レイヤ伝送についての第３の状態を示すために使用される。すなわち、ＮＤＩ２が所定の状態にあるとき、それは単一レイヤ伝送についての第３の状態を示す。例えば、図８に示すように、値＝４、５、６または７であるとき、ＮＤＩ２が１／トグルされている場合（所定の状態）、それは（Ｃで表される）第３の状態での単一レイヤ伝送を示し、ＮＤＩ２が０／トグルされていない場合、それはマルチレイヤ伝送を示す。マルチレイヤ伝送の状態は、図８では状態Ａによって表されるが、これに限定されず、任意の適切な状態とされてよく、上位レイヤを介して設定されシグナリングされ得る。値＝０、１、２または３の場合には、ＤＣＩシグナリングはＲｅｌ−１０と同じにすることができ、第１の状態（例えば状態Ａ）と第２の状態（例えば状態Ｂ）の中の状態を示すためにＮＤＩ２が使用される。図８では、状態Ａが、ＮＤＩ２＝０／トグルされていない場合に選択され、状態Ｂが、ＮＤＩ２＝１／トグルされている場合に選択される。ただし、これに限定されることなく、例えば、状態Ａが、ＮＤＩ２＝１／トグルされている場合に選択され、状態Ｂが、ＮＤＩ２＝０／トグルされていない場合に選択されてもよい。
【００５８】
上記に鑑みて、本開示の第３の実施形態は、図９に示すように、１つのトランスポート・ブロック（ＴＢ）が有効にされ１つのＴＢが無効にされる、ＣｏＭＰ状態をシグナリングする無線通信方法であって、有効にされたＴＢおよび無効にされたＴＢについて、送信ポイント（ＴＰ）からユーザ機器（ＵＥ）にダウンリンク制御情報（ＤＣＩ）を送信し、ＤＣＩは、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含み（ステップ９０１）、有効にされたＴＢに関する８値インジケータの値が０、１、２または３と等しい場合、ＵＥが、無効にされたＴＢのＮＤＩを使用して、第１のＣｏＭＰ状態および第２のＣｏＭＰ状態からＣｏＭＰ状態を選択し（ステップ９０２）、８値インジケータの値が４、５、６または７であり、無効にされたＴＢのＮＤＩが所定の状態である場合、ＵＥが、有効にされたＴＢについて単一レイヤおよび第３のＣｏＭＰ状態が設定されると解釈する（ステップ９０３）、ことを含む無線通信方法を提供する。
【００５９】
上記の無線通信方法では、第１のＣｏＭＰ状態、第２のＣｏＭＰ状態および第３のＣｏＭＰ状態は、上位レイヤ（例えば、ＲＲＣまたはＭＡＣ）を介して設定され、これらの状態は、第１の実施形態で説明した状態Ａ、ＢまたはＣあるいは任意の他のＣｏＭＰ状態とすることができる。無効にされたＴＢのＮＤＩ（ＮＤＩ２）は、０または１の形態で表すことができ、または、前回の送信における有効にされたＴＢのＮＤＩ（ＮＤＩ１）に対してトグルされているまたはトグルされていない形態とすることができる。したがって、ＮＤＩ２の所定の状態は、０または１、あるいは、トグルされているまたはトグルされていないとなり得る。
【００６０】
また、上記の無線通信方法で特に定義されていないＤＣＩによってシグナリングされる他のパラメータに関して、ＵＥは、Ｒｅｌ−１０の仕様に従うことができる。例えば、ＮＤＩ１は、有効にされたＴＢが初回送信であるかそれとも再送であるかを示すために使用される。具体的には、第３の実施形態による上記方法は、ＵＥが、８値インジケータの値が０と等しい場合には有効にされたＴＢについて１レイヤ、ポート７およびｎＳＣＩＤ＝０が設定されると解釈し、８値インジケータの値が１と等しい場合には有効にされたＴＢについて１レイヤ、ポート７、およびｎＳＣＩＤ＝１が設定されると解釈し、８値インジケータの値が２と等しい場合には有効にされたＴＢについて１レイヤ、ポート８、およびｎＳＣＩＤ＝０が設定されると解釈し、８値インジケータの値が３と等しい場合には有効にされたＴＢについて１レイヤ、ポート８、およびｎＳＣＩＤ＝１が設定されると解釈することをさらに含む。また、第３の実施形態による上記方法は、無効にされたＴＢのＮＤＩが所定の状態でない場合には、ＵＥが、８値インジケータの値が４と等しい場合には有効にされたＴＢについて２レイヤおよびポート７〜８が設定されると解釈し、８値インジケータの値が５と等しい場合には有効にされたＴＢについて３レイヤおよびポート７〜９が設定されると解釈し、８値インジケータの値が６と等しい場合には有効にされたＴＢについて４レイヤおよびポート７〜１０が設定されると解釈し、８値インジケータの値が７と等しい場合には７の値が予約されていると解釈することをさらに含む。また、第３の実施形態による上記方法は、無効にされたＴＢのＮＤＩが無効状態である場合には、ＵＥが、８値インジケータの値が４と等しい場合には有効にされたＴＢについて１レイヤ、ポート７、およびｎＳＣＩＤ＝０が設定されると解釈し、８値インジケータの値が５と等しい場合には有効にされたＴＢについて１レイヤ、ポート７、およびｎＳＣＩＤ＝１が設定されると解釈し、８値インジケータの値が６と等しい場合には有効にされたＴＢについて１レイヤ、ポート８、およびｎＳＣＩＤ＝０が設定されると解釈し、８値インジケータの値が７と等しい場合には有効にされたＴＢについて１レイヤ、ポート８、およびｎＳＣＩＤ＝１が設定されると解釈することをさらに含む。
【００６１】
表５および表６は、１ＣＷ設計の２つの例を示す。表５では、ＮＤＩ２（無効にされたＮＤＩ）＝０（所定の状態にない）とき、マルチレイヤ伝送（値＝４、５または６）は、上位レイヤを介して構成およびシグナリングされ得る単一状態のみが可能である。すなわち、無効にされたＴＢのＮＤＩが所定の状態でない場合、４、５、６、または７の値に対するＣｏＭＰ状態が上位レイヤを介してシグナリングされる。ここでは、状態は状態Ａで表されているが、これに限定されずに任意の適切な状態とすることができる。
【表５】
0005881903.tif 000006
【００６２】
表６は、初回送信がランク３〜８であるのでマルチレイヤ１ＣＷ伝送が単一セル動作であると想定されていること以外は、表５と同様である。したがって、無効にされたＮＤＩ＝０であるとき、値４、５、６、７についての状態を「サービング・セル」に固定することが可能である。すなわち、無効にされたＴＢのＮＤＩが所定の状態でない場合、４、５、６、または７の値に対するＣｏＭＰ状態がサービング・セルの状態に固定される。「サービング・セル」の意義は、ＭＢＳＦＮサブフレームおよびＣＲＳパターンがサービング・セル設定に従うことであり、したがってＵＥレートがサービング・セルＣＲＳのみに合致する。
【表６】
0005881903.tif 000007
【００６３】
同様に、無効にされたＮＤＩ＝０または１であるときに値０〜３をサービング・セルとして設定することもできる。すなわち、状態ＡまたはＢ＝サービング・セルと定義する。言い換えれば、第１のＣｏＭＰ状態または第２のＣｏＭＰ状態が、サービング・セルの状態であると定義される。このようにしてＣｏＭＰ状態がＢ／ＣまたはＡ／Ｃのみに減少し、ＣｏＭＰ動作に不都合になるが単一セル動作に好都合になる。
【００６４】
第３の実施形態によれば、上記分析に基づく結論として、単一レイヤ伝送について３つの状態がシグナリングされ、マルチレイヤ１ＣＷ伝送について単一状態のみが設定されるので、ＤＣＩのサイズが大きくならない。さらに、第２の実施形態で説明したように、ＣｏＭＰ状態をさらに増加させるために、有効にされたＴＢが第１のマッピングされたＴＢである場合、および有効にされたＴＢが第２のマッピングされたＴＢである場合について、それぞれ、第１のＣｏＭＰ状態、第２のＣｏＭＰ状態および第３のＣｏＭＰ状態の異なるセットが設定され得る。
【００６５】
図１０は、本開示の第１の実施形態に係るＴＰ１０００を示すブロック図である。ＴＰ１０００は、有効にされたＴＢおよび無効にされたＴＢについて、ダウンリンク制御情報（ＤＣＩ）をユーザ機器（ＵＥ）に送信する送信部１００１を含む。ＤＣＩは、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含む。ＴＰ１０００は、また、有効にされたＴＢに関する８値インジケータの値が０、１、２または３と等しい場合は、無効にされたＴＢのＮＤＩによって第１のＣｏＭＰ状態および第２のＣｏＭＰ状態から選択されたＣｏＭＰ状態を設定し、８値インジケータの値が４、５、６または７であり、無効にされたＴＢのＮＤＩが所定の状態である場合は、有効にされたＴＢについて単一レイヤおよび第３のＣｏＭＰ状態を設定する設定部１００２を含む。
【００６６】
本開示によるＴＰ１０００はさらに、関連するプログラムを実行して、種々のデータを処理し、ＴＰ１０００内の各ユニットの動作を制御するＣＰＵ（Central Processing Unit）１０１０、ＣＰＵ１０１０によって種々の処理および制御を実行するために必要とされる種々のプログラムを記憶するＲＯＭ（Read Only Memory）１０１３、ＣＰＵ１０１０によって処理および制御の手順で一時的に生成される中間データを記憶するＲＡＭ（Random Access Memory）１０１５、および／または、種々のプログラムおよびデータなどを記憶する記憶部１０１７を含む。上記の送信部１００１、設定部１００２、ＣＰＵ１０１０、ＲＯＭ１０１３、ＲＡＭ１０１５、および／または記憶部１０１７などは、データ／コマンド・バス１０２０を介して相互接続され、互いに信号を転送することが可能である。
【００６７】
上述の各ユニットは、本開示の範囲を限定するものではない。本開示の一実施形態によれば、上記の送信部１００１および設定部１００２の機能は、送信部のような単一のユニットによって実装されてもよく、上記の送信部１００１および設定部１００２のいずれかまたは組み合わせの機能は、上記のＣＰＵ１０１０、ＲＯＭ１０１３、ＲＡＭ１０１５、および／または記憶部１０１７などと組み合わされた機能的ソフトウェアによって実装されてもよい。
【００６８】
図１１は、本開示の第１の実施形態に係るＵＥ１１００を示すブロック図である。ＵＥ１１００は、有効にされたＴＢおよび無効にされたＴＢについて、送信ポイント（ＴＰ）からダウンリンク制御情報（ＤＣＩ）を受信する受信部１１０１を含む。ＤＣＩは、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含む。ＵＥ１１００は、また、有効にされたＴＢに関する８値インジケータの値が０、１、２、または３と等しい場合は、第１のＣｏＭＰ状態および第２のＣｏＭＰ状態からＣｏＭＰ状態を選択し、８値インジケータの値が４、５、６、または７であり、無効にされたＴＢのＮＤＩが所定の状態である場合は、有効にされたＴＢについて単一レイヤおよび第３のＣｏＭＰ状態が設定されると解釈する決定部１１０２を含む。
【００６９】
本開示によるＵＥ１１００はさらに、関連するプログラムを実行して、種々のデータを処理し、ＵＥ１１００内の各ユニットの動作を制御するＣＰＵ（Central Processing Unit）１１１０、ＣＰＵ１１１０によって種々の処理および制御を実行するために必要とされる種々のプログラムを記憶するＲＯＭ（Read Only Memory）１１１３、ＣＰＵ１１１０によって処理および制御の手順で一時的に生成される中間データを記憶するＲＡＭ（Random Access Memory）１１１５、および／または、種々のプログラムおよびデータなどを記憶する記憶部１１１７を含む。上記の受信部１１０１、決定部１１０２、ＣＰＵ１１１０、ＲＯＭ１１１３、ＲＡＭ１１１５、および／または記憶部１１１７などは、データ／コマンド・バス１１２０を介して相互接続され、互いに信号を転送することが可能である。
【００７０】
上述の各ユニットは、本開示の範囲を限定するものではない。本開示の一実施形態によれば、上記の受信部１１０１および決定部１１０２の機能は、受信部のような単一のユニットによって実装されてもよく、上記の受信部１１０１および決定部１１０２のいずれかまたは組み合わせの機能は、上記のＣＰＵ１１１０、ＲＯＭ１１１３、ＲＡＭ１１１５、および／または記憶部１１１７などと組み合わされた機能的ソフトウェアによって実装されてもよい。
【００７１】
（第４の実施形態）
第２の実施形態および第３の実施形態は、単一のＣＷの場合についてのものである。第４の実施形態は、２ＣＷの場合の処理に対応する。本発明者らは、ランク３〜８の伝送（３〜８レイヤ伝送）には単一状態で十分であることに注目する。ランク２のＵＥにおけるＭＵ−ＭＩＭＯ（Multi User-Multiple Input Multiple Output）のパフォーマンスが、ｎＳＣＩＤに基づく方式および標準透過方式（standard transparent scheme）におけるものと同様であると想定できるため、ランク２伝送には２つの状態で十分であり得る。その場合、ＤＣＩにおいてｎＳＣＩＤがシグナリングされず、代わりにＣｏＭＰ状態がシグナリングされる。以下の表７は、ランク２伝送に関する２つの状態を示すために使用され得る。
【表７】
0005881903.tif 000008
【００７２】
第４の実施形態によれば、図１２に示すように、両方のトランスポート・ブロック（ＴＢ）が有効にされるＣｏＭＰ状態をシグナリングする無線通信方法であって、送信ポイント（ＴＰ）からユーザ機器（ＵＥ）にダウンリンク制御情報（ＤＣＩ）を送信し、ＤＣＩは、ＤＭＲＳアンテナポートと、レイヤ数と、ＣｏＭＰ状態と、を示すための８値インジケータを含み（ステップ１２０１）、８値インジケータの値が０または１と等しい場合、ＵＥが、２レイヤおよびポート７〜８が設定されると解釈し、８値インジケータの値が０と等しい場合、ＵＥが２つのＣｏＭＰ状態から第１のＣｏＭＰ状態を選択し、８値インジケータの値が１と等しい場合、ＵＥが２つのＣｏＭＰ状態から第２のＣｏＭＰ状態を選択し（ステップ１２０２）、８値インジケータの値が２と等しい場合、ＵＥが、３レイヤおよびポート７〜９が設定されると解釈し（ステップ１２０３）、８値インジケータの値が３と等しい場合、ＵＥが、４レイヤおよびポート７〜１０が設定されると解釈し（ステップ１２０４）、８値インジケータの値が４と等しい場合、ＵＥが、５レイヤおよびポート７〜１１が設定されると解釈し（ステップ１２０５）、８値インジケータの値が５と等しい場合、ＵＥが、６レイヤおよびポート７〜１２が設定されると解釈し（ステップ１２０６）、８値インジケータの値が６と等しい場合、ＵＥが、７レイヤおよびポート７〜１３が設定されると解釈し（ステップ１２０７）、８値インジケータの値が７と等しい場合、ＵＥが、８レイヤおよびポート７〜１４が設定されると解釈する（ステップ１２０８）、ことを含む無線通信方法が提供される。
【００７３】
上記の方法では、２、３、４、５、６または７の値に対するＣｏＭＰ状態は、上位レイヤを介してシグナリングされ得る。表７では、２、３、４、５、６または７の値に対するＣｏＭＰ状態は、状態Ａによって表されているが、これに限定されず、任意の適切な状態とすることができることに留意されたい。
【００７４】
また、表８のように、ランク３〜８伝送に対してサービング・セルのみを設定することが可能である。すなわち、２、３、４、５、６または７の値に対するＣｏＭＰ状態がサービング・セルの状態に固定される。
【表８】
0005881903.tif 000009
【００７５】
（第５の実施形態）
第１から第４の実施形態では、ＴＭ１０で最大８レイヤまでの伝送がサポートされることを想定している。しかしながら、ＴＭ１０が最大４レイヤまでの伝送しかサポートしない場合も考えることができる。（最大８レイヤまでと比較した）システム・レベルのパフォーマンス低下は許容され得る。その理由は、１）ランク５〜８伝送は、ＵＥが備えるアンテナが４つより多いことを要求するが、現在は市場にそのような製品がなく、将来においても４つより多いアンテナを有するＵＥはごくわずかであることが予想され、２）ＵＥが４つより多いアンテナを備えたとしても、ＵＥはＴＰに極めて近い必要があり、そうでなければランク５〜８伝送は実現できないからである。したがって、低い割合のＵＥのみがランク５〜８伝送の恩恵を受けることができ、対応するスループットの増大はシステムの観点からはわずかである。
【００７６】
第５の実施形態は、ＴＭ１０が最大４レイヤまでの伝送をサポートすることを想定し、この場合は２ＣＷ設計について考える。最大４レイヤまでのみがサポートされる場合、表１内の値４、５、６、７は使用されない。そこで、それらのコードポイントを使用して、ランク２〜４伝送についての状態を示すことができる。
【００７７】
第５の実施形態の（表９に示すような）第１の例によれば、図１３に示すように、両方のトランスポート・ブロック（ＴＢ）が有効にされるＣｏＭＰ状態をシグナリングする無線通信方法であって、送信ポイント（ＴＰ）からユーザ機器（ＵＥ）にダウンリンク制御情報（ＤＣＩ）を送信し、ＤＣＩは、ＤＭＲＳアンテナポートと、scrambling identityと、レイヤ数と、ＣｏＭＰ状態と、を示すための８値インジケータを含み（ステップ１３０１）、ＵＥが、８値インジケータの値が０、１、２または３と等しい場合には２つのＣｏＭＰ状態から第１のＣｏＭＰ状態を選択し（ステップ１３０２）、８値インジケータの値が４、５、６または７と等しい場合、ＵＥが２つのＣｏＭＰ状態から第２のＣｏＭＰ状態を選択し（ステップ１３０３）、８値インジケータの値が０または４と等しい場合、ＵＥが、２レイヤ、ポート７〜８およびｎＳＣＩＤ＝０が設定されると解釈し（ステップ１３０４）、８値インジケータの値が１または５と等しい場合、ＵＥが、２レイヤ、ポート７〜８およびｎＳＣＩＤ＝１が設定されると解釈し（ステップ１３０５）、８値インジケータの値が２または６と等しい場合、ＵＥが、３レイヤおよびポート７〜９が設定されると解釈し（ステップ１３０６）、８値インジケータの値が３または７と等しい場合、ＵＥが、４レイヤおよびポート７〜１０が設定されると解釈する（ステップ１３０７）、ことを含む無線通信方法が提供される。
【表９】
0005881903.tif 000010
【００７８】
第１の例では、すべてのランクの伝送に対して２つの状態のみが示される。しかしながら、より多くの状態を２レイヤ伝送に対して設定することが可能である。第５の実施形態の（表１０に示すような）第２の例によれば、図１４に示すように、両方のトランスポート・ブロック（ＴＢ）が有効にされるＣｏＭＰ状態をシグナリングする無線通信方法であって、送信ポイント（ＴＰ）からユーザ機器（ＵＥ）にダウンリンク制御情報（ＤＣＩ）を送信し、ＤＣＩは、ＤＭＲＳアンテナポートと、レイヤ数と、ＣｏＭＰ状態と、を示すための８値インジケータを含み（ステップ１４０１）、８値インジケータの値が０、１、４または５と等しい場合、ＵＥが、２レイヤおよびポート７〜８が設定されると解釈し、８値インジケータの値に基づいて４つのＣｏＭＰ状態からＣｏＭＰ状態を選択し（ステップ１４０２）、８値インジケータの値が２または６と等しい場合、ＵＥが、３レイヤおよびポート７〜９が設定されると解釈し、８値インジケータの値に基づいて２つのＣｏＭＰ状態からＣｏＭＰ状態を選択し（ステップ１４０３）、８値インジケータの値が３または７と等しい場合、ＵＥが、４レイヤおよびポート７〜１０が設定されると解釈し、８値インジケータの値に基づいて２つのＣｏＭＰ状態からＣｏＭＰ状態を選択する（ステップ１４０４）、ことを含む無線通信方法が提供される。第２の例によれば、２レイヤ伝送に対して４つの状態を示すことができ、３および４レイヤ伝送に対して２つの状態を示すことができる。表１０では、それらの状態は、状態Ａ、Ｂ、ＣおよびＤによって具体的に表されているが、表１０とは異なる順序で配列されてもよく、任意の他の適切な状態とすることもできることに留意されたい。特に、表１０では３レイヤおよび４レイヤ伝送に対する状態も状態ＡおよびＢにより表されているが、それらは、２レイヤ伝送に対するＡまたはＢと異なる状態とすることが可能である。
【００７９】
好ましくは、上記無線通信方法において、８値インジケータの値が０と等しい場合、ＵＥが、４つのＣｏＭＰ状態（例えば、Ａ、Ｂ、ＣおよびＤ）から第１のＣｏＭＰ状態（例えば、表１０における状態Ａ）を選択し、８値インジケータの値が１と等しい場合、ＵＥが、４つのＣｏＭＰ状態から第２のＣｏＭＰ状態（例えば状態Ｂ）を選択し、８値インジケータの値が４と等しい場合、ＵＥが、４つのＣｏＭＰ状態から第３のＣｏＭＰ状態（例えば状態Ｃ）を選択し、８値インジケータの値が５と等しい場合、ＵＥが、４つのＣｏＭＰ状態から第４のＣｏＭＰ状態（例えば状態Ｄ）を選択し、８値インジケータの値が２または６と等しい場合、ＵＥが、２つのＣｏＭＰ状態（例えばＡおよびＢ）から第５のＣｏＭＰ状態（例えば状態Ａ）を選択し、８値インジケータの値が３または７と等しい場合、ＵＥが、２つのＣｏＭＰ状態から第６のＣｏＭＰ状態（例えば状態Ｂ）を選択する。
【表１０】
0005881903.tif 000011
【００８０】
第５の実施形態の第１および第２の例では、表９および表１０にｎＳＣＩＤが含まれない。それによりＭＵ−ＭＩＭＯパフォーマンスが低下する可能性がある。ｎＳＣＩＤを含ませる１つの方法では、表１１に示すように、ランク３〜４伝送に対して単一状態のみを可能とすることで、ｎＳＣＩＤが含まれていても２レイヤ伝送に対して３つの状態を可能とし得る。
【表１１】
0005881903.tif 000012
【００８１】
第５の実施形態の（表１１に基づく）第３の例によれば、図１５に示すように、両方のトランスポート・ブロック（ＴＢ）が有効にされるＣｏＭＰ状態をシグナリングする無線通信方法であって、送信ポイント（ＴＰ）からユーザ機器（ＵＥ）にダウンリンク制御情報（ＤＣＩ）を送信し、ＤＣＩが、ＤＭＲＳアンテナポートと、scrambling identityと、レイヤ数と、ＣｏＭＰ状態と、を示すための８値インジケータを含み（ステップ１５０１）、８値インジケータの値が０、４、または６と等しい場合、ＵＥが、２レイヤ、ポート７〜８およびｎＳＣＩＤ＝０が設定されると解釈し、８値インジケータの値に基づいて３つのＣｏＭＰ状態からＣｏＭＰ状態を選択し（ステップ１５０２）、８値インジケータの値が１、５または７と等しい場合、ＵＥが、２レイヤ、ポート７〜８およびｎＳＣＩＤ＝１が設定されると解釈し、８値インジケータの値に基づいて３つのＣｏＭＰ状態からＣｏＭＰ状態を選択し（ステップ１５０３）、８値インジケータの値が２と等しい場合、ＵＥが、３レイヤおよびポート７〜９が設定されると解釈し（ステップ１５０４）、８値インジケータの値が３と等しい場合、ＵＥが、４レイヤおよびポート７〜１０が設定されると解釈する（ステップ１５０５）、ことを含む無線通信方法が提供される。
【００８２】
３および４レイヤ伝送（すなわち、値＝２または３）に対して１つのみのＣｏＭＰ状態が設定され、それはＤＣＩ内で通知される必要がないことに留意されたい。１つのＣｏＭＰ状態は、表１１に示すようにサービング・セルの状態とすることができ、または上位レイヤを介してシグナリングされる任意の適切な状態とすることができる。すなわち、２または３の値に対するＣｏＭＰ状態は、上位レイヤを介してシグナリングされるか、またはサービング・セルの状態に固定される。
【００８３】
（第６の実施形態）
第６の実施形態は、最大４レイヤまでおよび１ＣＷの設計に対応する。第１の考えは、２ＣＷの場合と同様の値＝４〜７を除去することである。これにより、表１２に示すように、単一レイヤ伝送に対して４つの状態が有効にされる。
【表１２】
0005881903.tif 000013
【００８４】
しかしながら、ランク５〜８レイヤ伝送がサポートされなくても、２レイヤ１ＣＷ伝送は、ランク３〜４の初回送信に対する再送のためにやはり必要である。その場合、表１２内の１つのコードポイントが、表１３に示すように、２レイヤ１ＣＷ伝送を表すために選択され得る。表１３では、無効ＮＤＩ＝１のときの値＝７のコードポイントが２レイヤ伝送に対して選択される。そのコードポイントについてｎＳＣＩＤは０または１に固定され得る。
【表１３】
0005881903.tif 000014
【００８５】
上記に鑑みて、第６の実施形態によれば、図１６に示すように、１つのトランスポート・ブロック（ＴＢ）が有効にされ１つのＴＢが無効にされるＣｏＭＰ状態をシグナリングする無線通信方法であって、有効にされたＴＢおよび無効にされたＴＢについて、送信ポイント（ＴＰ）からユーザ機器（ＵＥ）にダウンリンク制御情報（ＤＣＩ）を送信し、ＤＣＩが、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含み（ステップ１６０１）、８値インジケータの値が０または４と等しい場合、ＵＥが、有効にされたＴＢについて１レイヤ、ポート７およびｎＳＣＩＤ＝０が設定されると解釈し（ステップ１６０２）、８値インジケータの値が１または５と等しい場合、ＵＥが、有効にされたＴＢについて１レイヤ、ポート７およびｎＳＣＩＤ＝１が設定されると解釈し（ステップ１６０３）、８値インジケータの値が２または６と等しい場合、ＵＥが、有効にされたＴＢについて１レイヤ、ポート８およびｎＳＣＩＤ＝０が設定されると解釈し（ステップ１６０４）、８値インジケータの値が３と等しい場合、ＵＥが、有効にされたＴＢについて１レイヤ、ポート８およびｎＳＣＩＤ＝１が設定されると解釈し（ステップ１６０５）、無効にされたＴＢのＮＤＩが所定の状態である場合には、ＵＥが、８値インジケータの値が０、１、２または３と等しい場合には４つのＣｏＭＰ状態から第１のＣｏＭＰ状態を選択し、８値インジケータの値が４、５、６または７と等しい場合には４つのＣｏＭＰ状態から第２のＣｏＭＰ状態を選択し、８値インジケータの値が７と等しい場合には有効にされたＴＢについて１レイヤ、ポート８およびｎＳＣＩＤ＝１が設定されると解釈し（ステップ１６０６）、無効にされたＴＢのＮＤＩが所定の状態でない場合には、ＵＥが、８値インジケータの値が０、１、２、または３と等しい場合には４つのＣｏＭＰ状態から第３のＣｏＭＰ状態を選択し、８値インジケータの値が４、５、または６と等しい場合には４つのＣｏＭＰ状態から第４のＣｏＭＰ状態を選択する（ステップ１６０７）、ことを含む無線通信方法が提供される。
【００８６】
さらに、表１２に基づいて、上記方法は、無効にされたＴＢのＮＤＩが所定の状態ではなく、８値インジケータの値が７と等しい場合、ＵＥが、有効にされたＴＢについて１レイヤ、ポート８およびｎＳＣＩＤ＝１が設定されると解釈し、４つのＣｏＭＰ状態から第４のＣｏＭＰ状態を選択することをさらに含むことができる。また、表１３に基づいて、上記方法は、無効にされたＴＢのＮＤＩが所定の状態ではなく、８値インジケータの値が７と等しい場合、ＵＥが、有効にされたＴＢについて２レイヤおよびポート７〜８が設定されると解釈し、対応するＣｏＭＰ状態がサービング・セルの状態であることをさらに含むことができる。
【００８７】
第１から第４の状態は、表１２および表１３では順序通りに状態ＡからＤで表されるが、これに限定されず、状態は異なる順序であってもよく、他の適切な状態としてもよいことに留意されたい。
【００８８】
（第７の実施形態）
第５および第６の実施形態では、最大４レイヤまでがＴＭ１０でサポートされることを想定している。ＴＭ１０が最大２レイヤまでの伝送をサポートすると想定することも可能である。この場合、より高いランクの伝送を可能にするためにＵＥが他のＴＭに準静的に切り替わる必要があるため、セル中央でのパフォーマンスが低下するが、より多くの状態が設定できるので、より柔軟なＣｏＭＰ動作も可能にする。
【００８９】
第７の実施形態では、ＴＭ１０における最大２レイヤを想定し２ＣＷの場合について考える。この場合、表１４に示すように、２レイヤ伝送について４つの状態が設定可能であり、ｎＳＣＩＤが含まれる。
【表１４】
0005881903.tif 000015
【００９０】
第７の実施形態によれば、図１７に示すように、両方のトランスポート・ブロック（ＴＢ）が有効にされるＣｏＭＰ状態をシグナリングする無線通信方法であって、送信ポイント（ＴＰ）からユーザ機器（ＵＥ）にダウンリンク制御情報（ＤＣＩ）を送信し、ＤＣＩが、ＤＭＲＳアンテナポートと、scrambling identityと、レイヤ数と、ＣｏＭＰ状態と、を示すための８値インジケータを含み（ステップ１７０１）、８値インジケータの値が０、２、４、または６と等しい場合、ＵＥが、２レイヤ、ポート７〜８およびｎＳＣＩＤ＝０が設定されると解釈し（ステップ１７０２）、８値インジケータの値が１、３、５または７と等しい場合、ＵＥが、２レイヤ、ポート７〜８およびｎＳＣＩＤ＝１が設定されると解釈し（ステップ１７０３）、８値インジケータの値が０または１と等しい場合、ＵＥが、４つのＣｏＭＰ状態から第１のＣｏＭＰ状態を選択し（ステップ１７０４）、８値インジケータの値が２または３と等しい場合、ＵＥが、４つのＣｏＭＰ状態から第２のＣｏＭＰ状態を選択し（ステップ１７０５）、８値インジケータの値が４または５と等しい場合、ＵＥが、４つのＣｏＭＰ状態から第３のＣｏＭＰ状態を選択し（ステップ１７０６）、８値インジケータの値が６または７と等しい場合、ＵＥが、４つのＣｏＭＰ状態から第４のＣｏＭＰ状態を選択する（ステップ１７０７）、ことを含む無線通信方法が提供される。
【００９１】
第７の実施形態の変形例として、最大２レイヤまでの伝送の１ＣＷ設計が提供される。この変形例によれば、図１８に示すように、１つのトランスポート・ブロック（ＴＢ）が有効にされ１つのＴＢが無効にされるＣｏＭＰ状態をシグナリングする無線通信方法であって、送信ポイント（ＴＰ）からユーザ機器（ＵＥ）にダウンリンク制御情報（ＤＣＩ）を送信し、ＤＣＩが、ＤＭＲＳアンテナポートと、scrambling identityと、レイヤ数と、無効にされたＴＢのＮＤＩに関連した有効にされたＴＢについてのＣｏＭＰ状態と、を示すための８値インジケータを含み（ステップ１８０１）、８値インジケータの値が０、２、４または６と等しい場合、ＵＥが、２レイヤ、ポート７〜８およびｎＳＣＩＤ＝０が設定されると解釈し（ステップ１８０２）、８値インジケータの値が１、３、５または７と等しい場合、ＵＥが、２レイヤ、ポート７〜８およびｎＳＣＩＤ＝１が設定されると解釈し（ステップ１８０３）、無効にされたＴＢのＮＤＩが所定の状態である場合には、ＵＥが、８値インジケータの値が０または１と等しい場合には４つのＣｏＭＰ状態から第１のＣｏＭＰ状態を選択し、８値インジケータの値が２または３と等しい場合には４つのＣｏＭＰ状態から第２のＣｏＭＰ状態を選択し、８値インジケータの値が４または５と等しい場合には４つのＣｏＭＰ状態から第３のＣｏＭＰ状態を選択し、８値インジケータの値が６または７と等しい場合には４つのＣｏＭＰ状態から第４のＣｏＭＰ状態を選択し（ステップ１８０４）、無効にされたＴＢのＮＤＩが所定の状態でない場合には、ＵＥが、８値インジケータの値が０または１と等しい場合には別の４つのＣｏＭＰ状態から第５のＣｏＭＰ状態を選択し、８値インジケータの値が２または３と等しい場合には、該別の４つのＣｏＭＰ状態から第６のＣｏＭＰ状態を選択し、８値インジケータの値が４または５と等しい場合には該別の４つのＣｏＭＰ状態から第７のＣｏＭＰ状態を選択し、８値インジケータの値が６または７と等しい場合には、該別の４つのＣｏＭＰ状態から第８のＣｏＭＰ状態を選択する（ステップ１８０５）、ことを含む無線通信方法が提供される。
【００９２】
本発明は、ソフトウェア、ハードウェア、またはハードウェアと協働するソフトウェアによって実現され得る。上述の各実施形態の説明で使用された各機能ブロックは、集積回路としてのＬＳＩによって実現され得る。それらのブロックは個々にチップとして形成されてもよく、１つのチップが機能ブロックの一部または全部を含むように形成されてもよい。ここで、ＬＳＩは、集積の程度の差に応じて、ＩＣ、システムＬＳＩ、スーパーＬＳＩ、またはウルトラＬＳＩと呼ばれることがある。しかしながら、集積回路を実装する技術はＬＳＩに限定されず、専用回路または汎用プロセッサを使用して実現してもよい。また、ＬＳＩの製造後にプログラム可能なＦＰＧＡ（フィールド・プログラマブル・ゲート・アレイ）、またはＬＳＩ内に配置された回路セルの接続および設定が再構成可能な再構成可能プロセッサを使用してもよい。さらに、各機能ブロックの計算は、例えばＤＳＰまたはＣＰＵを含む、計算手段によって実行することができ、各機能の処理ステップは、実行のためのプログラムとして記録媒体に記録することができる。さらに、半導体技術または他の派生技術の進歩によりＬＳＩに代わる集積回路を実装する技術が出現した場合、機能ブロックはそのような技術を用いて組み込まれてもよいことは明らかである。
【００９３】
本発明は、本明細書に提示された説明および既知の技術に基づいて、本発明の内容および範囲から逸脱することなく、当業者によって様々な変更および修正が行われることが意図されること、また、そのような変更や応用は、保護されることを主張する範囲内に含まれることに留意されたい。さらに、本発明の内容から逸脱しない範囲で、上述の実施形態の構成要素が任意に組み合わされてもよい。
【図１】
0005881903.tif 000016
【図２】
0005881903.tif 000017
【図３】
0005881903.tif 000018
【図４】
0005881903.tif 000019
【図５】
0005881903.tif 000020
【図６】
0005881903.tif 000021
【図７】
0005881903.tif 000022
【図８】
0005881903.tif 000023
【図９】
0005881903.tif 000024
【図１０】
0005881903.tif 000025
【図１１】
0005881903.tif 000026
【図１２】
0005881903.tif 000027
【図１３】
0005881903.tif 000028
【図１４】
0005881903.tif 000029
【図１５】
0005881903.tif 000030
【図１６】
0005881903.tif 000031
【図１７】
0005881903.tif 000032
【図１８】
0005881903.tif 000033